(57)【要約】情報決定方法およびデバイスならびに記憶媒体が提供される。情報決定方法は、開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定することを含む。ＰＤＣＣＨ関連シンボルは、ＰＤＣＣＨ開始シンボル、ＰＤＣＣＨ終了シンボル、ＰＤＣＣＨ開始シンボルと第１のプリセットされた数のシンボルとの合計、またはＰＤＣＣＨ終了シンボルと第１のプリセットされた数のシンボルとの合計のうちの少なくとも１つを含む。
2021536179.tif 000002
【特許請求の範囲】
【請求項１】
情報決定方法であって、該方法は、
開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定すること
を含む、方法。
【請求項２】
前記ＰＤＣＣＨ関連シンボルは、ＰＤＣＣＨ開始シンボル、ＰＤＣＣＨ終了シンボル、該ＰＤＣＣＨ開始シンボルと第１のプリセットされた数のシンボルとの合計、または該ＰＤＣＣＨ終了シンボルと該第１のプリセットされた数のシンボルとの合計のうちの少なくとも１つを含み、
該ＰＤＣＣＨ開始シンボルは、ＰＤＣＣＨを伝送するために使用される時間ドメインシンボルにおける最初のシンボルであり、該ＰＤＣＣＨ終了シンボルは、該ＰＤＣＣＨを伝送するために使用される該時間ドメインシンボルにおける最後のシンボルである、請求項１に記載の方法。
【請求項３】
前記ＳＬＩＶの前記基準点として供される前記ＰＤＣＣＨ関連シンボルを有する前記ＴＤＲＡ表を決定することは、
独立した構成様式において、該ＳＬＩＶの該基準点として供される該ＰＤＣＣＨ関連シンボルを有する該ＴＤＲＡ表を決定すること
を含む、請求項２に記載の方法。
【請求項４】
前記ＳＬＩＶの前記基準点として供される前記ＰＤＣＣＨ関連シンボルを有する前記ＴＤＲＡ表を決定することは、
該ＳＬＩＶの該基準点としてスロット境界を供することによって構成されるＴＤＲＡ表を、該ＳＬＩＶの該基準点として該ＰＤＣＣＨ関連シンボルを供することによって構成される該ＴＤＲＡ表とすること
を含む、請求項２に記載の方法。
【請求項５】
前記ＳＬＩＶの前記基準点として供される前記ＰＤＣＣＨ関連シンボルを有する前記ＴＤＲＡ表を決定することは、
該ＳＬＩＶの該基準点として該ＰＤＣＣＨ関連シンボルを供することが無効状態にあるか否かを決定することと、
該ＳＬＩＶの該基準点として該ＰＤＣＣＨ関連シンボルを供することが該無効状態にない場合において、ダウンリンク制御情報（ＤＣＩ）を通して該ＴＤＲＡ表における行インデックスを指示することと
をさらに含む、請求項４に記載の方法。
【請求項６】
物理ダウンリンク共有チャネル（ＰＤＳＣＨ）または物理アップリンク共有チャネル（ＰＵＳＣＨ）をスケジューリングのために使用する場合において、前記無効状態は、前記ＳＬＩＶの前記基準点が前記スロット境界を超過する場合、または該ＳＬＩＶの該基準点と長さとの合計が該スロット境界を超過する場合のうちの少なくとも１つを含む、請求項５に記載の方法。
【請求項７】
前記ＳＬＩＶの前記基準点として前記スロット境界を供することによって構成される前記ＴＤＲＡ表を、該ＳＬＩＶの該基準点として前記ＰＤＣＣＨ関連シンボルを供することによって構成される前記ＴＤＲＡ表とすることは、
該ＴＤＲＡ表における各行インデックスの該ＳＬＩＶの該基準点を、該ＰＤＣＣＨ関連シンボルまたは該スロット境界のうちの１つとして構成すること、または、
該ＳＬＩＶの該基準点の再解釈を実施することであって、該再解釈の開始シンボルは、Ｓであり、Ｓ＝０である、こと
のうちの１つを含む、請求項４に記載の方法。
【請求項８】
前記ＳＬＩＶの前記基準点として供される前記ＰＤＣＣＨ関連シンボルを有する前記ＴＤＲＡ表を決定することは、
該ＳＬＩＶの該基準点として前記スロット境界を供することによって構成される該ＴＤＲＡ表の行インデックスの一部を選択することと、
該行インデックスの一部を、該ＳＬＩＶの該基準点として供される該ＰＤＣＣＨ関連シンボルを有する該ＴＤＲＡ表として供することと
を含む、請求項２に記載の方法。
【請求項９】
前記ＳＬＩＶの前記基準点として前記スロット境界を供することによって構成される前記ＴＤＲＡ表の前記行インデックスの一部を選択することは、
該行インデックスの一部として前記第１のプリセットされた数を有する第１の行インデックスを選択すること、または、ビットマップ形式で該行インデックスの一部を選択すること
を含む、請求項８に記載の方法。
【請求項１０】
２つ以上のＴＤＲＡ表が存在し、少なくとも１つのＴＤＲＡ表が前記ＳＬＩＶの前記基準点として前記ＰＤＣＣＨ関連シンボルを使用する場合において、該ＰＤＣＣＨ関連シンボルの異なる位置におけるＰＤＣＣＨまたは異なる時間スパンを有するＰＤＣＣＨは、完全には同じでないＴＤＲＡ表を使用する、請求項２に記載の方法。
【請求項１１】
完全には同じでない前記ＴＤＲＡ表を使用する前記ＰＤＣＣＨ関連シンボルの異なる位置における前記ＰＤＣＣＨまたは異なる時間スパンを有する前記ＰＤＣＣＨは、
各位置におけるＰＤＣＣＨまたは各時間スパンを有するＰＤＣＣＨが１つの種類の該ＴＤＲＡ表を使用すること、
Ｘ個の開始シンボルセットが、それぞれ、Ｘ個のＴＤＲＡ表を使用し、該Ｘ個の開始シンボルセットのうちの２つごとにおける要素が互いに異なり、該Ｘ個の開始シンボルセットの和集合がスロットにおける全てのシンボルを含むか、または、該Ｘ個の開始シンボルセットのうちの各々における要素が独立して構成されること、または、
Ｘ個のスパンセットが、それぞれ、Ｘ個のＴＤＲＡ表を使用し、該Ｘ個のスパンセットのうちの２つごとにおける要素が互いに異なり、該Ｘ個のスパンセットの和集合が時間スパンパターンにおける全てのスパンを含むか、または、該Ｘ個のスパンセットのうちの各々における該要素が独立して構成されること
のうちの１つを含む、請求項１０に記載の方法。
【請求項１２】
情報決定方法であって、該方法は、
開始シンボルＳまたは開始長さインジケータ値（ＳＬＩＶ）のうちの１つの基準点を決定することであって、該基準点は、スロット境界または物理ダウンリンク制御チャネル（ＰＤＣＣＨ）関連シンボルを含む、こと
を含む、方法。
【請求項１３】
前記ＳＬＩＶの前記基準点を決定することは、
トラフィックチャネル種類に従って該ＳＬＩＶまたは前記Ｓのうちの１つの該基準点を決定することであって、該トラフィックチャネル種類は、種類Ａと種類Ｂとを含む、こと、
前記ＰＤＣＣＨ関連シンボルをデフォルトで該ＳＬＩＶの該基準点として供することであって、該ＳＬＩＶの該基準点と長さとの合計が前記スロット境界を超過する場合において、該ＳＬＩＶの該基準点は、該スロット境界であると決定すること、
該ＰＤＣＣＨ関連シンボルの位置に従って該ＳＬＩＶの該基準点を決定すること、または、
トラフィックチャネルをスケジューリングするためのダウンリンク制御情報（ＤＣＩ）フォーマットに従って該ＳＬＩＶの該基準点を決定すること
のうちの１つを含む、請求項１２に記載の方法。
【請求項１４】
前記トラフィックチャネルをスケジューリングするための前記ＤＣＩフォーマットに従って前記ＳＬＩＶの前記基準点を決定することは、
第１のＤＣＩフォーマットにおいて使用されるべき該ＳＬＩＶの該基準点として供される前記ＰＤＣＣＨ関連シンボルを有する時間ドメインリソース割り当て（ＴＤＲＡ）表を決定することであって、該第１のＤＣＩフォーマットは、新しいＤＣＩフォーマット、超高信頼低遅延通信（ＵＲＬＬＣ）をスケジューリングするためのＤＣＩフォーマット、プリセットされた閾値より小さいＤＣＩサイズを有するＤＣＩフォーマット、またはプリセットされた閾値より小さいＤＣＩにおける時間ドメインリソース割り当てドメインサイズを有するＤＣＩフォーマットのうちの１つを含む、こと
を含む、請求項１３に記載の方法。
【請求項１５】
物理ダウンリンク共有チャネル（ＰＵＳＣＨ）をスケジューリングするために使用されるＴＤＲＡ表について、前記ＳＬＩＶの前記基準点を構成するための様式は、
該ＳＬＩＶの該基準点を独立して構成すること、
前記ＰＤＣＣＨ関連シンボルをデフォルトで該ＳＬＩＶの該基準点として供すること、
反復伝送について該ＰＵＳＣＨをスケジューリングする場合において、該ＳＬＩＶの該基準点は、前記スロット境界であると決定すること、または、
非反復伝送について該ＰＵＳＣＨをスケジューリングする場合において、該ＳＬＩＶの該基準点は、該ＰＤＣＣＨ関連シンボルであると決定すること
のうちの１つを含む、請求項１２に記載の方法。
【請求項１６】
前記新しいＤＣＩフォーマットを追加する場合において、少なくとも２つの異なるＤＣＩフォーマットにおいて時間ドメインリソース割り当てによって使用される前記ＴＤＲＡ表を決定するための様式は、
第２のＤＣＩフォーマットによって、無線リソース制御（ＲＲＣ）によって構成されるＴＤＲＡ表を使用することと、前記第１のＤＣＩフォーマットによって、デフォルトＴＤＲＡ表を使用すること、
該少なくとも２つの異なるＤＣＩフォーマットについて、デフォルトＴＤＲＡ表を独立して構成すること、または、
該少なくとも２つの異なるＤＣＩフォーマットについて、該ＴＤＲＡ表を独立して構成すること
のうちの１つを含む、請求項１４に記載の方法。
【請求項１７】
情報決定方法であって、第１のダウンリンク制御情報（ＤＣＩ）フォーマットおよび第２のＤＣＩフォーマットがトラフィックチャネルをスケジューリングするために使用される場合において、該トラフィックチャネルに対応する優先度を決定する方法は、
該トラフィックチャネルをスケジューリングするための該第１のＤＣＩフォーマットに対応する優先度を、該第２のＤＣＩフォーマットに対応する優先度より高いように構成すること、または、
該トラフィックチャネルをスケジューリングするための該第１のＤＣＩフォーマットに対応する最も低い優先度を、該第２のＤＣＩフォーマットに対応する優先度と等しいように構成すること
のうちの１つを含む、方法。
【請求項１８】
情報決定方法であって、該方法は、
新しいダウンリンク制御情報（ＤＣＩ）フォーマットを追加する場合において、ＤＣＩサイズ整合動作を実施することを含み、該新しいＤＣＩフォーマットは、アップリンクトラフィックチャネルをスケジューリングするためのフォーマット０＿２と、ダウンリンクトラフィックチャネルをスケジューリングするためのフォーマット１＿２とを含み、
サイズ閾値は、４以下の、各セルにおいてユーザ機器（ＵＥ）によって取り扱われるＤＣＩサイズ種類の数であり、セル無線ネットワーク一時識別子（Ｃ−ＲＮＴＩ）によってスクランブルされるＤＣＩサイズ種類の数は、３を超過せず、または、サイズ閾値は、５以下の、各セルにおいてＵＥによって取り扱われるＤＣＩサイズ種類の数であり、Ｃ−ＲＮＴＩによってスクランブルされるＤＣＩサイズ種類の数は、４を超過しない、方法。
【請求項１９】
前記サイズ閾値が、４以下の、各セルにおいて前記ＵＥによって取り扱われる前記ＤＣＩサイズ種類の数であり、前記Ｃ−ＲＮＴＩによってスクランブルされる前記ＤＣＩサイズ種類の数が３を超過しない場合において、前記ＤＣＩサイズ整合動作を実施することは、
フォーマット０＿０のサイズをフォーマット１＿０のサイズと整合させることと、
フォーマット０＿１のサイズをフォーマット１＿１のサイズと整合させることと、
前記フォーマット０＿２のサイズを前記フォーマット１＿２のサイズと整合させることと
を含む、請求項１８に記載の方法。
【請求項２０】
前記サイズ閾値が、４以下の、各セルにおいて前記ＵＥによって取り扱われる前記ＤＣＩサイズ種類の数であり、前記Ｃ−ＲＮＴＩによってスクランブルされる前記ＤＣＩサイズ種類の数が３を超過しない場合において、前記ＤＣＩサイズ整合動作を実施することは、
前記フォーマット０＿２のサイズを前記フォーマット１＿２のサイズと整合させ、第１の種類サイズに整合させることと、
第１の種類サイズをフォールバックＤＣＩのサイズまたは非フォールバックＤＣＩのサイズのうちの１つと整合させることと
を含む、請求項１８に記載の方法。
【請求項２１】
前記第１の種類サイズを前記フォールバックＤＣＩの前記サイズまたは前記非フォールバックＤＣＩの前記サイズのうちの１つと整合させることは、
より上位の層のシグナリングに従って、該フォールバックＤＣＩの該サイズまたは該非フォールバックＤＣＩの該サイズのうちの１つと整合されるべき該第１の種類サイズを構成すること、または、
サイズ最近接原理に従って、該第１の種類サイズを該フォールバックＤＣＩの該サイズまたは該非フォールバックＤＣＩの該サイズのうちの１つに整合させること
のうちの１つを含む、請求項２０に記載の方法。
【請求項２２】
前記サイズ最近接原理に従って、前記第１の種類サイズを前記フォールバックＤＣＩの前記サイズまたは前記非フォールバックＤＣＩの前記サイズのうちの１つに整合させることは、
トラフィックチャネルをスケジューリングするためのＤＣＩのサイズが該フォールバックＤＣＩの該サイズより小さい場合において、超高信頼低遅延通信（ＵＲＬＬＣ）ＤＣＩのサイズを該フォールバックＤＣＩの該サイズに整合させる動作を実施しないこと、または、
トラフィックチャネルをスケジューリングするためのＤＣＩのサイズが該フォールバックＤＣＩの該サイズより大きい場合において、該サイズ最近接原理に従って、該フォールバックＤＣＩの該サイズまたは該非フォールバックＤＣＩの該サイズのうちの１つに整合させる動作を実施すること
を含む、請求項２１に記載の方法。
【請求項２３】
前記サイズ閾値が、４以下の、各セルにおいて前記ＵＥによって取り扱われる前記ＤＣＩサイズ種類の数であり、前記Ｃ−ＲＮＴＩによってスクランブルされる前記ＤＣＩサイズ種類の数が３を超過しない場合において、前記ＤＣＩサイズ整合動作を実施することは、
各時間スパンの時間範囲内において、各セルにおいて該ＵＥによって取り扱われる該ＤＣＩサイズ種類の数を４以下であるように構成することであって、該Ｃ−ＲＮＴＩによってスクランブルされる該ＤＣＩサイズ種類の数が３を超過しない、こと
を含む、請求項１８に記載の方法。
【請求項２４】
前記サイズ閾値が、５以下の、各セルにおいて前記ＵＥによって取り扱われる前記ＤＣＩサイズ種類の数であり、前記Ｃ−ＲＮＴＩによってスクランブルされる前記ＤＣＩサイズ種類の数が４を超過しない場合において、前記ＤＣＩサイズ整合動作を実施することは、
トラフィックチャネルをスケジューリングするための前記ＤＣＩフォーマット０＿２のサイズおよびトラフィックチャネルをスケジューリングするための該ＤＣＩフォーマット１＿２のサイズにおいて、該ＤＣＩサイズ整合動作を実施すること、
トラフィックチャネルをスケジューリングするための該ＤＣＩフォーマット０＿２のサイズまたはトラフィックチャネルをスケジューリングするための該ＤＣＩフォーマット１＿２のサイズのうちの１つを、フォールバックＤＣＩのサイズに整合させること、
トラフィックチャネルをスケジューリングするための該ＤＣＩフォーマット０＿２のサイズまたはトラフィックチャネルをスケジューリングするための該ＤＣＩフォーマット１＿２のサイズのうちの１つを、非フォールバックＤＣＩのサイズに整合させること、
非フォールバックアップリンク（ＵＬ）ＤＣＩのサイズを、非フォールバックダウンリンク（ＤＬ）ＤＣＩのサイズと整合させること、
事前に構成されたモードに従って、トラフィックチャネルをスケジューリングするためのＤＣＩのサイズを、フォールバックＤＣＩのサイズまたは非フォールバックＤＣＩのサイズのうちの１つに整合させること、または、
プリセットされた規則に従って、トラフィックチャネルをスケジューリングするためのＤＣＩのサイズを、フォールバックＤＣＩのサイズまたは非フォールバックＤＣＩのサイズのうちの１つに整合させること
のうちの１つを含む、請求項１８に記載の方法。
【請求項２５】
少なくとも１つのＤＣＩフォーマットについてのフォーマット識別指示フィールドを構成することをさらに含む、請求項１８に記載の方法。
【請求項２６】
フォーマット指示フラグを通して、ＤＣＩ整合動作を実施するための２つのＤＣＩフォーマットを区別することをさらに含む、請求項２５に記載の方法。
【請求項２７】
情報決定方法であって、該方法は、
各時間スパンの制御チャネル要素（ＣＣＥ）の最大数を決定すること
を含む、方法。
【請求項２８】
各スパンの前記ＣＣＥの最大数を決定することは、
時間スパンパターンにおけるスパンの数、スロットにおける実際のスパンの数、および各スパンの限定されたＣＣＥの数に従って、各スパンの該ＣＣＥの最大数を決定すること、または、
各スロットにおける限定されたＣＣＥの数、スロットにおける実際のスパンの数、および各スパンの限定されたＣＣＥの数に従って、各スパンの該ＣＣＥの最大数を決定すること
のうちの１つを含む、請求項２７に記載の方法。
【請求項２９】
各スパンの前記限定されたＣＣＥの数を決定するための様式は、
各スパンの該限定されたＣＣＥの数を構成すること
を含む、請求項２８に記載の方法。
【請求項３０】
各スパンは、ユーザ機器（ＵＥ）によって報告された各スパンのＣＣＥ閾値より大きい、限定されたＣＣＥの同じ数を有する、請求項２９に記載の方法。
【請求項３１】
前記時間スパンパターンまたは前記スロットのうちの１つの実際のスパンにおいて、少なくとも１つのスパンの前記限定されたＣＣＥの数は、ＵＥによって報告された各スパンのＣＣＥ閾値より大きいように構成される、請求項２９に記載の方法。
【請求項３２】
各スパンの前記限定されたＣＣＥの数を決定するための様式は、
ＵＥによって報告された各スパンのＣＣＥ閾値と各スロットの前記ＣＣＥの最大数との合計を、少なくとも１つのスパンの該限定されたＣＣＥの数として供すること
を含む、請求項２８に記載の方法。
【請求項３３】
情報決定デバイスであって、該デバイスは、
第１の決定モジュールを備え、該第１の決定モジュールは、開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定するように構成される、
情報決定デバイス。
【請求項３４】
コンピュータープログラムを格納する記憶媒体であって、該コンピュータープログラムは、プロセッサによって実行される場合、請求項１から３２のうちのいずれか１つに記載の情報決定方法を実装する、記憶媒体。
【発明の詳細な説明】
【技術分野】
【０００１】
本出願は、２０１９年８月１５日にＣＮＩＰＡに出願された中国特許出願第２０１９１０７５４９９７．２号に対する優先権を主張する。前述の特許出願の開示の全体が、本明細書において参照によって援用される。
【０００２】
（技術分野）
本特許出願は、無線通信ネットワークの分野、例えば、情報決定方法およびデバイスならびに記憶媒体に関連する。
【背景技術】
【０００３】
（背景）
超高信頼低遅延伝送の特徴をサポートするために、伝送は、比較的短い伝送時間間隔および比較的低い符号化率で実施される。比較的短い伝送時間間隔は、単一または複数の直交周波数分割多重方式（ｏｒｔｈｏｇｏｎａｌ  ｆｒｅｑｕｅｎｃｙ  ｄｉｖｉｓｉｏｎ  ｍｕｌｔｉｐｌｅｘｉｎｇ；ＯＦＤＭ）シンボルであり得る。物理ダウンリンク制御チャネル（ｐｈｙｓｉｃａｌ  ｄｏｗｎｌｉｎｋ  ｃｏｎｔｒｏｌ  ｃｈａｎｎｅｌ；ＰＤＣＣＨ）について、伝送機会は、データが到着した後の待機時間を低減するために、スロットにおける複数の場合位置において提供され得、それによって、高いアグリゲーションレベルを通した低遅延伝送および高信頼伝送を確実にする。従って、時間ドメインリソースをどのように割り当てるかが、解決すべき緊急の課題である。
【発明の概要】
【発明が解決しようとする課題】
【０００４】
本出願の実施形態は、時間ドメインリソース割り当てに必要なオーバーヘッドを低減することができる、情報決定方法およびデバイスならびに記憶媒体を提供する。
【課題を解決するための手段】
【０００５】
本出願の実施形態は、情報決定方法を提供する。方法は、下記において説明されるステップを含む。
【０００６】
開始長さインジケータ値（ｓｔａｒｔ  ｌｅｎｇｔｈ  ｉｎｄｉｃａｔｏｒ  ｖａｌｕｅ；ＳＬＩＶ）の基準点として供される物理ダウンリンク制御チャネル（ＰＤＣＣＨ）関連シンボルを有する時間ドメインリソース割り当て（ｔｉｍｅ  ｄｏｍａｉｎ  ｒｅｓｏｕｒｃｅ  ａｌｌｏｃａｔｉｏｎ；ＴＤＲＡ）表が、決定される。
【０００７】
本出願の実施形態は、情報決定方法を提供する。方法は、下記において説明されるステップを含む。
【０００８】
ＳＬＩＶの基準点が決定される。基準点は、スロット境界またはＰＤＣＣＨ関連シンボルを含む。
【０００９】
本出願の実施形態は、情報決定方法を提供する。第１のダウンリンク制御情報（ｄｏｗｎｌｉｎｋ  ｃｏｎｔｒｏｌ  ｉｎｆｏｒｍａｔｉｏｎ；ＤＣＩ）フォーマットおよび第２のＤＣＩフォーマットがトラフィックチャネルをスケジューリングするために使用される場合、トラフィックチャネルに対応する優先度の決定方法は、下記において説明されるステップのうちの１つを含む。
【００１０】
トラフィックチャネルをスケジューリングするための第１のＤＣＩフォーマットに対応する優先度は、トラフィックチャネルをスケジューリングするための第２のＤＣＩフォーマットに対応する優先度より高いように構成される。
【００１１】
トラフィックチャネルをスケジューリングするための第１のＤＣＩフォーマットに対応する最も低い優先度は、トラフィックチャネルをスケジューリングするための第２のＤＣＩフォーマットに対応する優先度と等しいように構成される。
【００１２】
本出願の実施形態は、情報決定方法を提供する。方法は、下記において説明されるステップを含む。
【００１３】
新しいＤＣＩフォーマットが追加される場合、ＤＣＩサイズ整合動作が実施される。新しいＤＣＩフォーマットは、以下のものを含む：アップリンクトラフィックチャネルをスケジューリングするためのフォーマット０＿２およびダウンリンクトラフィックチャネルをスケジューリングするためのフォーマット１＿２；サイズ閾値は、４以下の、各セルにおいてユーザ機器（ｕｓｅｒ  ｅｑｕｉｐｍｅｎｔ；ＵＥ）によって取り扱われるＤＣＩサイズ種類の数であり、セル無線ネットワーク一時識別子（ｃｅｌｌ−ｒａｄｉｏ  ｎｅｔｗｏｒｋ  ｔｅｍｐｏｒａｒｙ  ｉｄｅｎｔｉｆｉｅｒ；Ｃ−ＲＮＴＩ）によってスクランブルされるＤＣＩサイズ種類の数は、３を超過しない；または、サイズ閾値は、５以下の、各セルにおいてＵＥによって取り扱われるＤＣＩサイズ種類の数であり、Ｃ−ＲＮＴＩによってスクランブルされるＤＣＩサイズ種類の数は、４を超過しない。
【００１４】
本出願の実施形態は、情報決定方法を提供する。方法は、下記において説明されるステップを含む。
【００１５】
各時間スパンの制御チャネル要素（ｃｏｎｔｒｏｌ  ｃｈａｎｎｅｌ  ｅｌｅｍｅｎｔｓ；ＣＣＥ）の最大数が決定される。
【００１６】
本出願の実施形態は、情報決定デバイスを提供する。デバイスは、第１の決定モジュールを含む。
【００１７】
第１の決定モジュールは、開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定するように構成される。
【００１８】
本出願の実施形態によって、記憶媒体が提供される。記憶媒体は、プロセッサによって実行されると、上記において説明された任意の実施形態の方法を実装するコンピュータープログラムを格納するように構成される。
【図面の簡単な説明】
【００１９】
【図１】図１は、本出願の実施形態によって提供される情報決定方法のフローチャートである。
【図２】図２は、本出願の実施形態によって提供される情報決定デバイスのブロック図である。
【図３】図３は、本出願の実施形態によって提供されるデバイスの構造図である。
【発明を実施するための形態】
【００２０】
本出願の実施形態は、図面を参照して以下において詳細に説明される。不一致でない場合、本明細書において説明される実施形態とその特徴とは、互いに組み合わせられることができる。
【００２１】
新しい無線（ｎｅｗ  ｒａｄｉｏ；ＮＲ）リリース１５（Ｒ１５）システムにおいて、時間ドメインリソース割り当てのメカニズムは、無線リソース制御（ｒａｄｉｏ  ｒｅｓｏｕｒｃｅ  ｃｏｎｔｒｏｌ；ＲＲＣ）を使用して、時間ドメインリソース割り当て（ＴＤＲＡ）表を構成することであり得る。各ＴＤＲＡ表は、複数の行インデックスを含み、各行インデックスは、スロットオフセット、開始シンボル、長さ（シンボルの数）、トラフィックチャネルマッピング種類を含み、複数の行インデックスのうちの１つは、ダウンリンク制御情報（ＤＣＩ）を通して動的に指示され得る。開始シンボルのインデックスは、基準点としてスロット境界を使用し得、すなわち、１４個のシンボルを有するスロットにおけるシンボルインデックスは、０から１３である。超高信頼低遅延通信（ｕｌｔｒａ  ｒｅｌｉａｂｌｅ  ｌｏｗ  ｌａｔｅｎｃｙ  ｃｏｍｍｕｎｉｃａｔｉｏｎ；ＵＲＬＬＣ）の低遅延および高信頼要件をサポートするために、時間ドメインリソース割り当てによって割り当てられる時間ドメインリソースは、通常、比較的短く、割り当てのオーバーヘッドおよび柔軟性は、制御され、ＵＲＬＬＣは、通常、時間スロットにおいて複数のＰＤＣＣＨ伝送機会をサポートし、１つの様式は、不要なＲＲＣ構成を省くように、つまり、ＤＣＩオーバーヘッドを省くように、物理ダウンリンク共有チャネル（ｐｈｙｓｉｃａｌ  ｄｏｗｎｌｉｎｋ  ｓｈａｒｅｄ  ｃｈａｎｎｅｌ；ＰＤＳＣＨ）の時間ドメインリソース割り当てについての開始長さインジケータ値（ＳＬＩＶ）の基準点をスロット境界からＰＤＣＣＨ関連シンボル（ＰＤＣＣＨ開始シンボル、ＰＤＣＣＨ終了シンボルなど）に変えることである。従って、ＵＲＬＬＣの時間ドメインリソース割り当てにとって、ＲＲＣによって構成されたＴＤＲＡ表の構成および使用は、解決すべき緊急の課題である。
【００２２】
ＤＣＩオーバーヘッドを省くために、本出願の実施形態は、時間ドメインリソース割り当てに必要なＤＣＩオーバーヘッドを省く情報決定方法を提供する。
【００２３】
図１は、本出願の実施形態によって提供される情報決定方法のフローチャートである。図１において示されるように、この実施形態によって提供される方法は、下記において説明されるステップＳ１２０を含む。
【００２４】
ステップＳ１２０において、開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表が、決定される。
【００２５】
実施形態において、ＰＤＣＣＨ関連シンボルは、ＰＤＣＣＨ開始シンボル、ＰＤＣＣＨ終了シンボル、ＰＤＣＣＨ開始シンボルと第１のプリセットされた数のシンボルとの合計、またはＰＤＣＣＨ終了シンボルと第１のプリセットされた数のシンボルとの合計のうちの少なくとも１つを含む；ＰＤＣＣＨ開始シンボルは、ＰＤＣＣＨを伝送するために使用される時間ドメインシンボルにおける最初のシンボルであり、ＰＤＣＣＨ終了シンボルは、ＰＤＣＣＨを伝送するために使用される時間ドメインシンボルにおける最後のシンボルである。実施形態において、ＰＤＣＣＨ開始シンボルは、ＰＤＣＣＨを伝送するために使用される時間ドメインシンボルにおける最初のシンボル、すなわち、伝送されたＰＤＣＣＨが位置付けられたサーチスペースに対応する制御リソースセット（ｃｏｎｔｒｏｌ  ｒｅｓｏｕｒｃｅ  ｓｅｔ  （ＣＯＲＥＳＥＴ）における最初のシンボルである；ＰＤＣＣＨ終了シンボルは、ＰＤＣＣＨを伝送するために使用される時間ドメインシンボルにおける最後のシンボル、すなわち、伝送されたＰＤＣＣＨが位置付けられたサーチスペースに対応するＣＯＲＥＳＥＴにおける最後のシンボルである。
【００２６】
候補割り当て結果は、より上位の層のシグナリングＲＲＣを通して構成され得、そして、ＲＲＣによって構成された候補割り当て結果のうちの１つが、このトラフィックチャネルの時間ドメインリソースを決定するようにＤＣＩを通して動的に指示され得る。ＰＤＳＣＨの時間ドメインリソース割り当てについて、ＲＲＣによって構成されるパラメータは、スロットオフセットＫ０、ＳＬＩＶ（または独立したインジケータ開始Ｓおよび長さＬ）、およびＰＤＳＣＨマッピング種類を含む。物理アップリンク共有チャネル（ｐｈｙｓｉｃａｌ  ｕｐｌｉｎｋ  ｓｈａｒｅｄ  ｃｈａｎｎｅｌ；ＰＵＳＣＨ）の時間ドメインリソース割り当てについて、ＲＲＣによって構成されるパラメータは、スロットオフセットＫ２、ＳＬＩＶ（または独立したインジケータ開始Ｓおよび長さＬ）、およびＰＵＳＣＨマッピング種類を含む。ＵＲＬＬＣの時間ドメインリソース割り当てについて、割り当てられる時間ドメインリソースは、通常、比較的短く、割り当てのオーバーヘッドおよび柔軟性が制御され、かつＵＲＬＬＣは、通常、時間スロットにおいて複数のＰＤＣＣＨ伝送機会をサポートするので、１つの様式は、ＰＤＳＣＨの時間ドメインリソース割り当てについてＳＬＩＶまたはＳのうちの１つの基準点（時間ドメインリソース割り当てについてのＳＬＩＶまたはＳのうちの１つの基準点は、基準点と略される）を、スロット境界から、ＰＤＣＣＨ開始シンボル、ＰＤＣＣＨ終了シンボル、ＰＤＣＣＨ開始シンボルおよびＸ個のシンボル、またはＰＤＣＣＨ終了シンボルおよびＸ個のシンボルのうちの１つに調整して、不要なＲＲＣ構成およびＤＣＩオーバーヘッドを省くことである。Ｘは、整数である。実施形態において、基準点の構成は、ＰＤＣＣＨ開始シンボルを例に説明される。
【００２７】
実施形態において、ＳＬＩＶの基準点として供されるＰＤＣＣＨ関連シンボルを有するＴＤＲＡ表が決定されるステップは、下記において説明されるステップを含む。ＳＬＩＶの基準点として供されるＰＤＣＣＨ関連シンボルを有するＴＤＲＡ表は、独立した構成様式において決定される。ＲＲＣによって構成されたＴＤＲＡ表は、ＳＬＩＶの基準点として供されるスロット境界を使用する。実施形態において、ＳＬＩＶの基準点として供されるＰＤＣＣＨ関連シンボルを有するＴＤＲＡ表は、独立して構成され得る。典型的に、ＳＬＩＶの基準点として供されるＰＤＣＣＨ関連シンボルを有するＴＤＲＡ表が独立して構成されるステップは、ＰＤＣＣＨ関連シンボルとしてＰＤＣＣＨ開始シンボルを供する例を挙げて例示される。２つのセットのＲＲＣは、それぞれ、ＳＬＩＶの基準点として供されるスロット境界を有するＴＤＲＡ表、およびＳＬＩＶの基準点として供されるＰＤＣＣＨ開始シンボルを有するＴＤＲＡ表を構成するために使用される。
【００２８】
典型的に、表１は、本出願の実施形態によって提供される、ＳＬＩＶの基準点として供されるスロット境界を有するＲＲＣ−構成ＴＤＲＡ表である。表１において示されるように、各行インデックスは、スロットオフセット（Ｋ０）、開始シンボル（Ｓ）、長さ（Ｌ）、トラフィックチャネルマッピング種類を含み、行インデックスのうちの１つは、ＤＣＩを通して動的に指示され、８つの行インデックスが表１において構成されており、そして、ＤＣＩにおける３つのビットが行インデックスのうちの１つを指示するために必要とされる。ＴＤＲＡ表が１６個の行インデックスを有する場合、ＤＣＩにおける４つのビットが行インデックスのうちの１つを指示するために必要とされる；ＴＤＲＡ表が４つの行インデックスを有する場合、ＤＣＩにおける２つのビットが行インデックスのうちの１つを指示するために必要とされる；ＴＤＲＡ表が２つの行インデックスを有する場合、ＤＣＩにおける１つのビットが行インデックスのうちの１つを指示するために必要とされる；ＴＤＲＡ表が１つの行インデックスを有する場合、その１つの行インデックスを指示するためにＤＣＩにおけるビットは必要とされず、０ビットを必要とすることと等価である。表１において、開始シンボルＳのインデックスは、基準点として供されるスロット境界を使用しており、すなわち、１４個のシンボルを有するスロットにおけるシンボルインデックスは、０から１３である。ＰＵＳＣＨがスケジューリングされる場合、表１におけるスロットオフセットは、Ｋ０からＫ２に調整され、他の種類は、本明細書において繰り返されない。表１における開始シンボルＳは、上記の基準点である。
【表１】
2021536179.tif 000003
【００２９】
典型的に、表２−１および表２−２は、本出願の実施形態によって提供される、ＳＬＩＶの基準点として供されるＰＤＣＣＨ開始シンボルを有するＲＲＣ−構成ＴＤＲＡ表である。表２−１および表２−２において示されるように、各行インデックスは、スロットオフセット（Ｋ０）、開始シンボル（Ｓ）、長さ（Ｌ）、トラフィックチャネルマッピング種類を含み、行インデックスのうちの１つは、ＤＣＩを通して動的に指示される。開始シンボルＳのインデックスは、基準点として供されるＰＤＣＣＨ開始シンボルを使用する。この実施形態は、例示のためにＰＤＣＣＨ開始シンボルのみを例に挙げており、すなわち、開始シンボルのインデックス０は、ＰＤＣＣＨを伝送するために使用される時間ドメインシンボルにおける最初のシンボルを指示する。実施形態において、ＳＬＩＶの基準点は、ＰＤＣＣＨ終了シンボル、ＰＤＣＣＨ終了シンボルおよびＸ個のシンボル、またはＰＤＣＣＨ開始シンボルおよびＸ個のシンボルのうちの１つでもあり得る。ＰＤＣＣＨ終了シンボルが基準点として使用される場合、開始シンボルのインデックス０は、ＰＤＣＣＨを伝送するために使用される時間ドメインシンボルにおける最後のシンボルを指示し、その他は、本明細書において繰り返されない。ＰＵＳＣＨがスケジューリングされる場合、表２−１および表２−２におけるＫ０は、Ｋ２に置き換えられ、その他の種類は、本明細書において繰り返されない。
【表２−１】
2021536179.tif 000004
【表２−２】
2021536179.tif 000005
【００３０】
表２−１および表２−２において示されるように、ＳＬＩＶの基準点として供されるＰＤＣＣＨ開始シンボルを有するＴＤＲＡ表の独立した構成を通して、複数の時間ドメイン位置における同じ長さを有するリソース割り当てが、より小さいオーバーヘッドで実装されることができ、信頼性が向上される；または、複数の長さを有するリソースが、同じオーバーヘッドで割り当てられ、スケジューリング柔軟性が向上される。
【００３１】
実施形態において、ＳＬＩＶの基準点として供されるＰＤＣＣＨ関連シンボルを有するＴＤＲＡ表が決定されるステップは、下記において説明されるステップを含む。ＳＬＩＶの基準点としてスロット境界を供することによって構成されるＴＤＲＡ表が、ＳＬＩＶの基準点としてＰＤＣＣＨ関連シンボルを供することによって構成されるＴＤＲＡ表とされる。実施形態において、ただ１つのＴＤＲＡ表に基づいて、ＳＬＩＶの基準点として供されるＰＤＣＣＨ関連シンボルを有するＴＤＲＡ表がこの１つのＴＤＲＡ表を通して暗黙的に取得され得る。この１つのＴＤＲＡ表は、ＳＬＩＶの基準点としてスロット境界を供することによって構成されるＴＤＲＡ表である。実施形態において、ＳＬＩＶの基準点としてＰＤＣＣＨ開始シンボルを供することによって構成されるＴＤＲＡ表が暗黙的に取得されるステップは、ＰＤＣＣＨ開始シンボルをＰＤＣＣＨ関連シンボルとして供する例を挙げて例示される。表３は、本出願の実施形態によって提供される、ＳＬＩＶの基準点として供されるスロット境界を有するＲＲＣ−構成ＴＤＲＡ表である。各行インデックスは、スロットオフセット、開始シンボル、長さ（シンボルの数）、およびトラフィックチャネルマッピング種類を含み、行インデックスのうちの１つは、ＤＣＩを通して動的に指示される。開始シンボルＳのインデックスは、基準点として供されるスロット境界を使用しており、すなわち、１４個のシンボルを有するスロットにおけるシンボルインデックスは、０から１３である。
【表３】
2021536179.tif 000006
【００３２】
典型的に、表３において示されるように、マッピング種類が種類Ａである場合、開始シンボルＳは、０から３であり得る；マッピング種類が種類Ｂである場合、長さＬは、限定される。代替的に、長さＬは、２、４または７である。
【００３３】
実施形態において、ＴＤＲＡ表からＳＬＩＶの基準点として供されるＰＤＣＣＨ関連シンボルを有するＴＤＲＡ表を暗黙的に取得する様式は、以下のステップのうちの１つを含む：ＳＬＩＶの基準点として供されるＰＤＣＣＨ関連シンボルを有するＴＤＲＡ表が依然としてＴＤＲＡ表とされ、無効状態について、ＤＣＩを通して指示されない；ＴＤＲＡ表の行インデックスのうちの一部が、ＳＬＩＶの基準点としてＰＤＣＣＨ関連シンボルを供することによって構成されるＴＤＲＡ表として選択される；または、ＰＤＣＣＨ関連シンボルまたはスロット境界が、ＴＤＲＡ表における各行インデックスについてのＳＬＩＶの基準点として再構成される。
【００３４】
実施形態において、ＴＤＲＡ表が依然としてＳＬＩＶの基準点として供されるＰＤＣＣＨ関連シンボルを有するＴＤＲＡ表とされる場合、ＳＬＩＶの基準点として供されるＰＤＣＣＨ関連シンボルを有するＴＤＲＡ表が決定されるステップは、下記において説明されるステップを含む。ＰＤＣＣＨ関連シンボルをＳＬＩＶの基準点として供することが無効状態にあるか否かが決定され、ＰＤＣＣＨ関連シンボルをＳＬＩＶの基準点として供することが無効状態にない場合、ＴＤＲＡ表における対応する行インデックスがＤＣＩを通して指示される。実施形態において、ＳＬＩＶの基準点としてスロット境界を供することによって構成されるＴＤＲＡ表は、ＳＬＩＶの基準点としてＰＤＣＣＨ関連シンボルを供することによって構成されるＴＤＲＡ表とされ、そして、無効状態における行インデックスは、ＤＣＩを通して指示されない。
【００３５】
実施形態において、ＰＤＳＣＨまたはＰＵＳＣＨがスケジューリングのために使用される場合、無効状態は、ＳＬＩＶの基準点がスロット境界を超過する場合、またはＳＬＩＶの基準点と長さとの合計がスロット境界を超過する場合のうちの少なくとも１つを含む。典型的に、ＰＤＳＣＨまたはＰＵＳＣＨスケジューリングについて、ＳまたはＳ＋Ｌがスロット境界を超過する場合、対応する行インデックスは、無効状態にある；ＰＵＳＣＨ反復スケジューリングについて、Ｓ＋Ｌがスロット境界を超過する場合、行インデックスは、有効状態にある。スロット境界を超える／超過するという意味は、Ｓ＞１３（すなわち、基準点Ｓがスロット境界を超える／超過する）、またはＳ＋Ｌ＞１４（すなわち、基準点および長さによって決定された時間ドメインリソース割り当てがスロット境界を超える／超過する）であり得る。
【００３６】
実施形態において、ＳＬＩＶの基準点としてスロット境界を供することによって構成されるＴＤＲＡ表がＳＬＩＶの基準点としてＰＤＣＣＨ関連シンボルを供することによって構成されるＴＤＲＡ表とされるステップは、下記において説明されるステップのうちの１つを含む。ＴＤＲＡ表における各行インデックスのＳＬＩＶの基準点は、ＰＤＣＣＨ関連シンボルまたはスロット境界のうちの１つとして構成される。ＳＬＩＶの基準点の再解釈が実施され、再解釈の開始シンボルは、Ｓであり、Ｓ＝０である。実施形態において、ＴＤＲＡ表における各行インデックスは、基準点としてＰＤＣＣＨ関連シンボルまたは基準点としてスロット境界を供することによって構成され、すなわち、ＴＤＲＡ表における各行インデックスは、再構成され、そして、ＳＬＩＶの基準点として供されるＰＤＣＣＨ関連シンボルを有する行インデックスは、ＳＬＩＶの基準点としてＰＤＣＣＨ関連シンボルを有するＴＤＲＡ表とみなされ得る。実施形態において、ＴＤＲＡ表における開始シンボルＳは、直接再解釈され得、すなわち、Ｓ＝０である。
【００３７】
実施形態において、ＳＬＩＶの基準点として供されるＰＤＣＣＨ関連シンボルを有するＴＤＲＡ表が決定されるステップは、下記において説明されるステップを含む。ＳＬＩＶの基準点としてスロット境界を供することによって構成されるＴＤＲＡの行インデックスの一部が選択される。行インデックスの一部は、ＳＬＩＶの基準点として供されるＰＤＣＣＨ関連シンボルを有するＴＤＲＡ表として供される。実施形態において、ＳＬＩＶの基準点としてスロット境界を供することによって構成されるＴＤＲＡ表における行インデックスの一部は、ＳＬＩＶの基準点として供されるＰＤＣＣＨ関連シンボルを有するＴＤＲＡ表として直接選択され得る。
【００３８】
実施形態において、ＳＬＩＶの基準点としてスロット境界を供することによって構成されるＴＤＲＡ表の行インデックスの一部が選択されるステップは、下記において説明されるステップを含む。第１のプリセットされた数を有する第１の行インデックスが行インデックスの一部として選択される。代替的に、行インデックスの一部がビットマップ形式で選択される。実施形態において、行インデックスの一部は、ビットマップ形式で選択される。例として表３を挙げ、ビットマップ形式を使用し、ビットマップは、８−ビット  ００００１１００であると仮定され、それは、表３における行インデックス＃４および行インデックス＃５がＳＬＩＶの基準点として供されるＰＤＣＣＨ関連シンボルを有するＴＤＲＡ表として供されることを指示する。ＤＣＩにおける１つのビットは、対応するＴＤＲＡ表における２つの行インデックス（行インデックス＃４および行インデックス＃５を含む）を指示するために使用され得る。典型的に、最初のＸ個の行インデックスは、基準点として供されるＰＤＣＣＨ関連シンボルを有するＴＤＲＡ表として選択される。実施形態において、ＳＬＩＶの基準点として供されるＰＤＣＣＨ関連シンボルを有するＴＤＲＡ表が上記の暗黙的な様式でＴＤＲＡ表から取得される場合、全ての基準点Ｓは、０として再解釈され得、すなわち、トラフィックチャネルの開始シンボルは、ＰＤＣＣＨ開始シンボルと同じである。
【００３９】
実施形態において、Ｋ０＝２、つまり、スロットオフセットがＫ２である場合、ＳＬＩＶの基準点として供されるＰＤＣＣＨ関連シンボルを有するＴＤＲＡ表は、上記の暗黙的な様式でＴＤＲＡ表から取得され、そして、ＳＬＩＶの基準点として供されるＰＤＣＣＨ関連シンボルを有するＴＤＲＡ表における開始シンボルＳが再解釈され、開始シンボルＳは、０と再解釈され、すなわち、トラフィックチャネルの開始シンボルは、ＰＤＣＣＨ開始シンボルと同じである。
【００４０】
上記の実施形態において、ＳＬＩＶの基準点として供されるＰＤＣＣＨ開始シンボルを有するＴＤＲＡ表は、暗黙的な様式で取得され、複数の時間ドメイン位置における同じ長さを有するリソース割り当てが、より小さいオーバーヘッドで実装されることができ、信頼性が向上される；または、複数の長さを有するリソースが、同じオーバーヘッドで割り当てられ、スケジューリング柔軟性が向上される。
【００４１】
実施形態において、２つ以上のＴＤＲＡ表が存在し、少なくとも１つのＴＤＲＡ表がＳＬＩＶの基準点として供されるＰＤＣＣＨ関連シンボルを使用する場合、ＰＤＣＣＨ関連シンボルの異なる位置におけるＰＤＣＣＨまたは異なる時間スパンを有するＰＤＣＣＨは、完全には同じでないＴＤＲＡ表を使用する。
【００４２】
実施形態において、ＰＤＣＣＨ関連シンボルの異なる位置におけるＰＤＣＣＨまたは異なる時間スパンを有するＰＤＣＣＨが完全には同じでないＴＤＲＡ表を使用するステップは、下記において説明されるステップのうちの１つを含む。各位置におけるＰＤＣＣＨまたは各時間スパンを有するＰＤＣＣＨは、１つの種類のＴＤＲＡ表を使用する。Ｘ個の開始シンボルセットは、それぞれ、Ｘ個のＴＤＲＡ表を使用し、Ｘ個の開始シンボルセットのうちの２つごとにおける要素は、互いに異なり、Ｘ個の開始シンボルセットの和集合は、スロットにおける全てのシンボルを含むか、または、Ｘ個の開始シンボルセットのうちの各々における要素は、独立して構成される。Ｘ個のスパンセットは、それぞれ、Ｘ個のＴＤＲＡ表を使用し、Ｘ個のスパンセットのうちの２つごとにおける要素は、互いに異なり、Ｘ個のスパンセットの和集合は、時間スパンパターンにおける全てのスパンを含むか、または、Ｘ個のスパンセットのうちの各々における要素は、独立して構成される。実施形態において、既存のＲＲＣ−構成ＴＤＲＡ表は、基準点としてスロット境界を使用し、ＳＬＩＶの基準点として供されるＰＤＣＣＨ関連シンボルを有するＴＤＲＡ表は、独立した構成を通して取得され得るか、または関連分野の表を通して暗黙的に取得され得、基準点として供されるＰＤＣＣＨ関連シンボルに基づく１つ以上のＴＤＲＡ表が存在し得ると仮定される。実施形態において、ＰＤＣＣＨ関連シンボルの異なる位置におけるＰＤＣＣＨまたは異なる時間スパンを有するＰＤＣＣＨが完全には同じでないＴＤＲＡ表を使用するステップは、ＰＤＣＣＨ関連シンボルとしてＰＤＣＣＨ開始シンボルを供する例を挙げて例示される。
【００４３】
Ｘ個のＴＤＲＡ表があり、ＰＤＣＣＨ開始シンボルの異なる位置におけるＰＤＣＣＨまたは異なる時間スパンを有するＰＤＣＣＨが完全には同じでないＴＤＲＡ表を使用すると仮定される。典型的に、ＰＤＣＣＨ開始シンボルのＸ種類の位置におけるＰＤＣＣＨまたはＸ個の時間スパンを有するＰＤＣＣＨがあり、開始シンボルの各位置におけるＰＤＣＣＨまたは各時間スパンを有するＰＤＣＣＨは、１つの種類のＴＤＲＡ表を使用し、合計でＸ個のＴＤＲＡ表が使用されると仮定される。例えば、Ｘ＝７であり、この場合、７個の非重複２  ＯＦＤＭシンボル（ＯＳ）スパンが１つのスロットから分割され、各時間スパンを有するＰＤＣＣＨは、１つの種類のＴＤＲＡ表を使用する。別の例として、Ｘ個の開始シンボルセットは、それぞれ、Ｘ個のＲＲＣ  ＴＤＲＡ表によって使用され、これらのＸ個の開始シンボルセットのうちの２つごとにおける要素は、互いに異なり、Ｘ個の開始シンボルセットの和集合は、スロットにおける全てのシンボルを含み、Ｘ＝２などであり、このとき、７個の非重複２  ＯＦＤＭシンボル（ＯＳ）スパンが１つのスロットから分割される。この場合、セット０は、最初の３個のスパンにおけるＰＤＣＣＨを含み、セット１は、最後の４個のスパンにおけるＰＤＣＣＨを含み、２つのセットは、それぞれ、１つの種類のＴＤＲＡ表を使用する。
【００４４】
実施形態において、２つ以上のＲＲＣ  ＴＤＲＡ表がある場合、少なくとも１つのＲＲＣ  ＴＤＲＡ表における長さＬは、限定される。例えば、Ｌは、閾値Ｐより小さく、代替的に、Ｐは、２、４または７である。
【００４５】
この実施形態において、基準点として供されるＰＤＣＣＨ開始シンボルを有するＴＤＲＡ表は、暗黙的な様式で取得され、複数の時間ドメイン位置における同じ長さを有するリソース割り当ては、より小さいオーバーヘッドで実装されることができ、信頼性が向上される；または、複数の長さを有するリソースが、同じオーバーヘッドで割り当てられ、スケジューリング柔軟性が向上される。
【００４６】
実施形態において、情報決定方法は、下記において説明されるステップを含む。ＳＬＩＶの基準点が決定され、基準点は、スロット境界またはＰＤＣＣＨ関連シンボルを含む。スロット境界は、スロットの開始である。例えば、スロット境界について、Ｓ＝０である場合、それは、スロットにおける第１のシンボルを指す；別の例について、スロット境界について、Ｓ＝２である場合、それは、スロットにおける第３のシンボルを指す、などであり、本明細書において繰り返されない。実施形態において、ＳＬＩＶの２つ以上の基準点の可能性が存在する場合、ＳＬＩＶの２つ以上の基準点は、ＰＤＣＣＨ開始シンボル、ＰＤＣＣＨ終了シンボル、ＰＤＣＣＨが位置付けられたＣＯＲＥＳＥＴの開始シンボル、ＰＤＣＣＨが位置付けられたＣＯＲＥＳＥＴの終了シンボル、スケジューリングタイミングＫ０またはＫ２によって決定されるスロット境界であるスロット境界、トラフィックチャネルがＰＤＳＣＨまたはＰＵＳＣＨである第１の利用可能なトラフィックチャネルの開始シンボル、ＰＤＣＣＨ開始シンボルおよびＸ個のシンボル、またはＰＤＣＣＨ終了シンボルおよびＸ個のシンボルのうちの少なくとも１つを含む。実施形態において、ＳＬＩＶの基準点が決定されるステップは、下記において説明されるステップのうちの１つを含む。ＳＬＩＶの基準点は、トラフィックチャネル種類に従って決定され、トラフィックチャネル種類は、種類Ａおよび種類Ｂを含む；ＰＤＣＣＨ関連シンボルは、デフォルトでＳＬＩＶの基準点として供される；ＳＬＩＶの基準点と長さとの合計がスロット境界を超過する場合、ＳＬＩＶの基準点は、スロット境界であると決定される；ＳＬＩＶの基準点は、ＰＤＣＣＨ関連シンボルの位置に従って決定されるか、または、ＳＬＩＶの基準点は、トラフィックチャネルをスケジューリングするためのダウンリンク制御情報（ＤＣＩ）フォーマットに従って決定される。
【００４７】
実施形態において、ＳＬＩＶの基準点は、プリセットされた規則または基地局通知様式に従って決定され得る。実施形態において、ＳＬＩＶの基準点を決定するための様式は、ＳＬＩＶの基準点としてＰＤＣＣＨ開始シンボルまたはスロット境界を供する例を挙げることによって説明される。ＳＬＩＶの基準点は、ＰＤＣＣＨ終了シンボル、ＰＤＣＣＨ開始シンボルおよびＸ個のシンボル、ＰＤＣＣＨ終了シンボルおよびＸ個のシンボル、または第１の利用可能トラフィックチャネルの開始シンボルのうちの１つでもあり得るが、本出願の実施形態によって限定されない。この実施形態において、ＰＤＣＣＨ開始シンボルまたはスロット境界がＳＬＩＶの基準点として供される場合、ＳＬＩＶの基準点の決定様式は、下記において説明される様式のうちの１つを含む。
【００４８】
実施形態において、ＳＬＩＶの基準点は、トラフィックチャネル種類に従って決定される。例えば、トラフィックチャネルが種類Ａの場合、スロット境界がＳＬＩＶの基準点として供され、トラフィックチャネルが種類Ｂの場合、ＰＤＣＣＨ開始シンボルがＳＬＩＶの基準点として供される。
【００４９】
実施形態において、ＰＤＣＣＨ開始シンボルは、デフォルトでＳＬＩＶの基準点として供される。Ｓ＋Ｌがスロット境界を超過すると計算される場合、それは、ＳＬＩＶの基準点として供されるスロット境界にフォールバックし、ＳおよびＳ＋Ｌは、スロット境界に従って再決定される。
【００５０】
実施形態において、ＳＬＩＶの基準点は、ＰＤＣＣＨ時間ドメインシンボルの位置に従って決定される。典型的に、ＰＤＣＣＨ開始シンボルが最初の３つのシンボルにおいて位置付けられた場合、スロット境界は、ＳＬＩＶの基準点として供され、ＰＤＣＣＨ開始シンボルは、他の場合において基準点として供されるが、それに限定されない。
【００５１】
実施形態において、トラフィックチャネルをスケジューリングするためのＤＣＩフォーマットに従ってＳＬＩＶの基準点が決定されるステップは、下記において説明されるステップを含む。ＳＬＩＶの基準点として供されるＰＤＣＣＨ関連シンボルを有するＴＤＲＡ表が、第１のＤＣＩフォーマットにおいて使用されると決定され、第１のＤＣＩフォーマットは、新しいＤＣＩフォーマット、超高信頼低遅延通信（ＵＲＬＬＣ）をスケジューリングするためのＤＣＩフォーマット、プリセットされた閾値より小さいＤＣＩサイズを有するＤＣＩフォーマット、またはプリセットされた閾値より小さいＤＣＩにおける時間ドメインリソース割り当てドメインサイズを有するＤＣＩフォーマットのうちの１つを含む。実施形態において、ＳＬＩＶの基準点は、トラフィックチャネルをスケジューリングするためのＤＣＩフォーマットに従って決定される。例えば、第１のＤＣＩフォーマットを使用する場合において、ＰＤＣＣＨ開始シンボルは、ＳＬＩＶの基準点として供され、第１のＤＣＩフォーマットは、ＵＲＬＬＣをスケジューリングするためのＤＣＩフォーマット、コンパクトＤＣＩフォーマット、事前に定義された／プリセットされた閾値より小さいＤＣＩサイズを有するＤＣＩフォーマット、または事前に定義された／プリセットされた閾値より小さいＤＣＩにおける時間ドメインリソース割り当てドメインサイズを有するＤＣＩフォーマットのうちの１つであり得る。
【００５２】
この実施形態において説明されるＳＬＩＶの基準点を決定する方法（ＳＬＩＶの２つ以上の基準点の場合）を通して、基地局と端末との間における理解の不一致によってデータが正しく受信されないことを回避することができ、従って、スケジューリング柔軟性と時間ドメインリソース割り当てのオーバーヘッドの低減との両方が、それぞれ、異なる条件下で確実にされることができ、低遅延かつ高信頼性のトラフィック伝送が確実にされる。一方、ＳＬＩＶの基準点として供されるＰＤＣＣＨ開始シンボルのみがサポートされる場合、スロットにおける第２または第３のシンボルの開始シンボルを有するＰＤＣＣＨは、ＰＤＣＣＨ開始シンボルより早く開始シンボルを有する種類ＡのＰＤＳＣＨをスケジューリングすることができないが、この実施形態において説明された方法に従ったＳＬＩＶの基準点の柔軟性選択を通して、上記のスケジューリング限定は、回避されることができる。
【００５３】
実施形態において、ＳＬＩＶの基準点として供されるＰＤＣＣＨ関連シンボルを有するＴＤＲＡ表が例示される。ＰＤＣＣＨ関連シンボルとしてＰＤＣＣＨ開始シンボルを供する例を挙げて、ＳＬＩＶの基準点とＴＤＲＡ表との関係が例示される。ＳＬＩＶの基準点として供されるＰＤＣＣＨ開始シンボルとスロット境界との両方が同時に存在する場合、ＳＬＩＶの基準点として供されるスロット境界を有するＴＤＲＡ表は、ＲＲＣによって独立して構成される表であり、ＳＬＩＶの基準点として供されるＰＤＣＣＨ開始シンボルを有するＴＤＲＡ表の決定様式は、下記において説明されるステップのうちの１つを含む。
【００５４】
独立して構成されるＴＤＲＡ表が使用される。使用されるＴＤＲＡ表は、ＳＬＩＶの基準点として供されるスロット境界を有するＴＤＲＡ表における行インデックスの一部（最初のＸ個の行インデックスなど）、またはビットマップを通して決定された行インデックスの一部を含む。実施形態において、ＳＬＩＶの基準点として供されるＰＤＣＣＨ開始シンボルを有する取得されたＴＤＲＡ表における開始シンボルＳは、再解釈され得、デフォルトでＳ＝０である。使用されるＴＤＲＡ表は、ＳＬＩＶの基準点として供されるスロット境界を有するＴＤＲＡ表であり、すなわち、ＳＬＩＶの基準点として供されるＰＤＣＣＨ開始シンボルを有するＴＤＲＡ表は、ＳＬＩＶの基準点として供されるスロット境界を有するＴＤＲＡ表と同じであり、無効状態におけるＳＬＩＶの基準点を有する行インデックスは、指示されないか、または、ＵＥは、スロット境界を超えた時間ドメインリソース割り当てを指示することを予期しない。この実施形態の情報決定方法において、ＳＬＩＶの異なる基準点に対応するＴＤＲＡ表の決定を通して、基地局と端末とが時間ドメインリソース割り当てについて同じ理解を有するように、端末は、誤ってデータを受信することを回避される。
【００５５】
実施形態において、ＰＵＳＣＨをスケジューリングするために使用されるＴＤＲＡ表について、ＳＬＩＶの基準点の構成様式は、下記において説明されるステップのうちの１つを含む。ＳＬＩＶの基準点は、独立して構成される；ＰＤＣＣＨ関連シンボルは、デフォルトでＳＬＩＶの基準点として供される；ＰＵＳＣＨが反復伝送についてスケジューリングされる場合、ＳＬＩＶの基準点は、スロット境界であると決定され、ＰＵＳＣＨが非反復伝送についてスケジューリングされる場合、ＳＬＩＶの基準点は、ＰＤＣＣＨ関連シンボルであると決定される。ＰＵＳＣＨをスケジューリングするために使用されるＴＤＲＡ表におけるＳＬＩＶの基準点の決定様式は、ＰＤＣＣＨ関連シンボルとしてＰＤＣＣＨ開始シンボルを供する例を挙げて例示される。
【００５６】
実施形態において、ＰＵＳＣＨをスケジューリングするために使用されるＴＤＲＡ表は、下記において説明される方法のうちの１つによって決定され得る。
【００５７】
実施形態において、使用されるＴＤＲＡ表は、ＰＵＳＣＨが繰り返し伝送されるか否かに従って決定される。例えば、異なるＴＤＲＡ表がＰＵＳＣＨ反復伝送およびＰＵＳＣＨ非反復伝送のために使用される。ＰＵＳＣＨ非反復伝送をスケジューリングするために使用されるＴＤＲＡ表は、ＳＬＩＶの基準点として供されるＰＤＣＣＨ開始シンボルを使用し、ＰＵＳＣＨ反復伝送をスケジューリングするために使用されるＴＤＲＡ表は、ＳＬＩＶの基準点として供されるスロット境界を使用する。別の例として、１つのＴＤＲＡ表が使用されるが、スロット境界を超える行インデックスは、反復伝送について有効であるが、非反復伝送について無効である。
【００５８】
実施形態において、ＰＵＳＣＨについて、ＰＤＣＣＨ終了シンボルおよびＸ個のシンボルが、デフォルトでＳ＝０について基準点として供され、Ｘは、Ｎ２以上であり、すなわち、Ｘは、ＰＵＳＣＨを作成するための最小の期間以上である。
【００５９】
実施形態において、ＰＤＳＣＨがスケジューリングされる場合、ＰＤＣＣＨ開始シンボルがＳＬＩＶの基準点として供され、ＰＵＳＣＨがスケジューリングされる場合、スロット境界がＳＬＩＶの基準点として供される。
【００６０】
実施形態において、ＳＬＩＶの２つ以上の基準点の可能性が存在する場合、ＳＬＩＶの２つ以上の基準点は、ＰＤＣＣＨ開始シンボル、ＰＤＣＣＨ終了シンボル、ＰＤＣＣＨが位置付けられたＣＯＲＥＳＥＴの開始シンボル、ＰＤＣＣＨが位置付けられたＣＯＲＥＳＥＴの終了シンボル、スケジューリングタイミングＫ０またはＫ２によって決定されるスロット境界であるスロット境界、トラフィックチャネルがＰＤＳＣＨまたはＰＵＳＣＨである第１の利用可能なトラフィックチャネルの開始シンボル、ＰＤＣＣＨ開始シンボルおよびＸ個のシンボル、またはＰＤＣＣＨ終了シンボルおよびＸ個のシンボルのうちの少なくとも１つを含む。
【００６１】
この実施形態は、プリセットされた規則または基地局通知様式に従ってＳＬＩＶの基準点を決定する方法を開示する。これらの２つの様式のうちの１つは、下記において説明される方法のうちの少なくとも１つによって決定される。ＰＤＣＣＨ開始シンボルまたはスロット境界が例示のための例として挙げられるが、それらに限定されず、任意の２つの様式であり得る。実施形態において、使用される様式は、ＰＵＳＣＨが繰り返し伝送されるか否かに従って決定される。例えば、反復伝送の場合において、スロット境界がＳＬＩＶの基準点として供され、非反復伝送の場合において、ＰＤＣＣＨ開始シンボルがＳＬＩＶの基準点として供される。実施形態において、ＰＤＣＣＨ開始シンボルは、デフォルトでＳＬＩＶの基準点として供される。ＰＵＳＣＨが反復伝送についてスケジューリングされる場合、それは、ＳＬＩＶの基準点として供されるスロット境界にフォールバックし、ＳおよびＳ＋Ｌは、スロット境界を使用することによって再決定される。
【００６２】
この実施形態において説明される方法を通して、異なるＴＤＲＡ表が、それぞれ、ＰＵＳＣＨ反復伝送およびＰＵＳＣＨ非反復伝送のために使用され、ＳＬＩＶの２つ以上の基準点が存在する場合、スロット境界とＰＤＣＣＨ開始シンボルとのうちの１つは、ＳＬＩＶの基準点であると決定され、それは、基地局と端末との間における理解の不一致によってデータが正しく受信されないことを回避することができ、従って、スケジューリング柔軟性と時間ドメインリソース割り当てのオーバーヘッドの低減との両方が、それぞれ、異なる条件下で確実にされることができ、低遅延かつ高信頼性のトラフィック伝送が確実にされる。
【００６３】
実施形態において、新しいＤＣＩフォーマットが追加される場合、少なくとも２つの異なるＤＣＩフォーマットにおいて時間ドメインリソース割り当てのために使用されるＴＤＲＡ表を決定するための様式は、下記において説明されるステップのうちの１つを含む。第２のＤＣＩフォーマットは、ＲＲＣ−構成ＴＤＲＡ表を使用する；第１のＤＣＩフォーマットは、デフォルトＴＤＲＡ表を使用する；デフォルトＴＤＲＡ表は、少なくとも２つの異なるＤＣＩフォーマットについて独立して構成される；または、ＴＤＲＡ表は、少なくとも２つの異なるＤＣＩフォーマットについて独立して構成される。
【００６４】
実施形態において、第１のＤＣＩフォーマットとしてＵＲＬＬＣによって使用されるＤＣＩフォーマットを供する例を挙げて（第１のＤＣＩフォーマットは、ＵＲＬＬＣをスケジューリングするためのＤＣＩフォーマット、コンパクトＤＣＩフォーマット、事前に定義された／プリセットされた閾値より小さいＤＣＩサイズを有するＤＣＩフォーマット、またはプリセットされた閾値より小さいＤＣＩにおける時間ドメインリソース割り当てドメインサイズを有するＤＣＩフォーマットのうちの１つであり得る）、第２のＤＣＩフォーマットは、拡張モバイルブロードバンド（ｅｎｈａｎｃｅｄ  ｍｏｂｉｌｅ  ｂｒｏａｄｂａｎｄ  ；ｅＭＢＢ）によって使用されるＤＣＩフォーマットである。実施形態において、第１のＤＣＩフォーマットがｅＭＢＢによって使用されるＤＣＩフォーマットである場合、第２のＤＣＩフォーマットは、ＵＲＬＬＣによって使用されるＤＣＩフォーマットである。ＵＲＬＬＣは、ｅＭＢＢによって使用されるＤＣＩフォーマットと同じＤＣＩフォーマットを再使用し得るか、または新しいフォーマットを使用し得る。ＵＲＬＬＣが新しいＤＣＩフォーマットを使用する場合、第２のＤＣＩフォーマットおよび第１のＤＣＩフォーマットは、異なり、すなわち、第２のＤＣＩフォーマットまたは第１のＤＣＩフォーマットのうちの１つが新しいＤＣＩフォーマットであり、もう１つが元のＤＣＩフォーマットである。この場合、新しいＤＣＩフォーマットにおける時間ドメインリソース割り当てのために使用されるＴＤＲＡ表と、元のＤＣＩフォーマットとが決定される必要がある。異なるＤＣＩフォーマットにおける時間ドメインリソース割り当てのために使用されるＴＤＲＡ表を決定する方法は、下記において説明される方法のうちの１つを含む。
【００６５】
実施形態において、１つのＤＣＩフォーマット（第２のＤＣＩフォーマットなど）は、ＲＲＣ−構成ＴＤＲＡ表を使用し、もう１つのＤＣＩフォーマット（第１のＤＣＩフォーマットなど）は、デフォルトＴＤＲＡ表を使用する。例えば、ＰＤＳＣＨスケジューリングを例に挙げると、Ｒ１５のＤＣＩフォーマット１＿１における時間ドメインリソース割り当ては、ＲＲＣ−構成ＴＤＲＡ表を使用し、Ｒ１６によって新たに導入されたＤＣＩフォーマット１＿２における時間ドメインリソース割り当ては、デフォルトＴＤＲＡ表を使用する。デフォルトＴＤＲＡ表は、１６行未満の行を有する表として構成され得るので、ＤＣＩにおける時間ドメインリソース割り当ては、４ビット未満のビットサイズを有し得る。代替的に、ＰＤＣＣＨ関連シンボル（ＰＤＣＣＨ開始シンボルなど）は、デフォルトＴＤＲＡ表においてＳＬＩＶの基準点として供される。
【００６６】
実施形態において、異なるデフォルトＴＤＲＡ表は、異なるＤＣＩフォーマットについて構成される。例えば、ＰＤＳＣＨスケジューリングを例に挙げると、Ｒ１５のＤＣＩフォーマット１＿１における時間ドメインリソース割り当ては、１６行で構成されるデフォルトＴＤＲＡ表を使用し、Ｒ１６によって新たに導入されたＤＣＩフォーマット１＿２における時間ドメインリソース割り当ては、４行で構成されたデフォルトＴＤＲＡ表を使用する。
【００６７】
この実施形態において説明される情報決定方法において、ＳＬＩＶの基準点として供されるＰＤＣＣＨ開始シンボルを有するＴＤＲＡ表は、特定のＤＣＩフォーマットを通して決定され、複数の時間ドメイン場所における同じ長さを有するリソース割り当てが、より小さいオーバーヘッドで実装されることができ、信頼性が向上される；または、複数の長さを有するリソースが、同じオーバーヘッドで割り当てられ、スケジューリング柔軟性が向上される。
【００６８】
実施形態において、情報決定方法が提供され、第１のＤＣＩフォーマットおよび第２のＤＣＩフォーマットがトラフィックチャネルをスケジューリングするために使用される場合、トラフィックチャネルに対応する優先度を決定する方法は、下記において説明されるステップのうちの１つを含む。トラフィックチャネルをスケジューリングするための第１のＤＣＩフォーマットに対応する優先度は、トラフィックチャネルをスケジューリングするために使用される第２のＤＣＩフォーマットに対応する優先度より高いように構成され、または、トラフィックチャネルをスケジューリングするための第１のＤＣＩフォーマットに対応する最も低い優先度は、トラフィックチャネルをスケジューリングするために使用される第２のＤＣＩフォーマットに対応する優先度と等しいように構成される。
【００６９】
実施形態において、第２のＤＣＩフォーマットがＵＲＬＬＣによって使用されるＤＣＩフォーマットである場合、第１のＤＣＩフォーマットは、ｅＭＢＢによって使用されるＤＣＩフォーマットである。実施形態において、第２のＤＣＩフォーマットがｅＭＢＢによって使用されるＤＣＩフォーマットである場合、第１のＤＣＩフォーマットは、ＵＲＬＬＣによって使用されるＤＣＩフォーマットである。ＵＲＬＬＣは、ｅＭＢＢによって使用されるＤＣＩフォーマットと同じＤＣＩフォーマットを再使用し得るか、または新しいＤＣＩフォーマットを使用し得る。ＵＲＬＬＣが新しいＤＣＩフォーマットを使用する場合、第２のＤＣＩフォーマットおよび第１のＤＣＩフォーマットは、異なり、すなわち、第２のＤＣＩフォーマットまたは第１のＤＣＩフォーマットのうちの１つは、新しいＤＣＩフォーマットであり、もう１つは、元のＤＣＩフォーマットである。この場合、新しいＤＣＩフォーマットおよび元のＤＣＩフォーマットは、トラフィックチャネルをスケジューリングするために同時に使用され得る。時間ドメインにおいて衝突が起こった場合、トラフィックチャネルの優先度が決定され、後続動作は、トラフィックチャネルの優先度に従って実施される。実施形態において、異なるＤＣＩフォーマットによってスケジューリングされたトラフィックチャネルの優先度を決定する方法は、下記において説明されるステップのうちの１つを含む。
【００７０】
実施形態において、元のＤＣＩフォーマットによってスケジューリングされたトラフィックチャネルの優先度は、新しいＤＣＩフォーマットにおける優先度によって指示される優先度より低い。例えば、非フォールバックＤＣＩ（つまり、ＤＣＩフォーマット０＿１およびＤＣＩフォーマット１＿１）によってスケジューリングされたトラフィックに対応する優先度は、新しいＤＣＩにおける優先度によって指示される任意の優先度より低い。すなわち、Ｒ１５の非フォールバックＤＣＩによってスケジューリングされたトラフィックは、この場合におけるもっとも低い優先度を有する。
【００７１】
実施形態において、元のＤＣＩフォーマットによってスケジューリングされたトラフィックチャネルの優先度は、新しいＤＣＩフォーマットにおける優先度によって指示される最も低い優先度と等しい。例えば、新しいＤＣＩにおいて指示される優先度が高い優先度および低い優先度の２つの場合を有しており、１つのビットによって指示される場合、Ｒ１５の非フォールバックＤＣＩによってスケジューリングされたトラフィックチャネルに対応する優先度は、新しいＤＣＩにおける優先度によって指示される低い優先度と等しい。この実施形態における情報決定方法において、異なるＤＣＩフォーマットによってスケジューリングされたトラフィックチャネルに対応する優先度の決定を通して、基地局および端末が優先度に従って同じ後続動作を実施することができ、それによって、基地局と端末との間における理解の一致を確実にする。
【００７２】
実施形態において、ＵＲＬＬＣは、ｅＭＢＢによって使用されるＤＣＩフォーマットと同じＤＣＩフォーマットを再使用し得るか、または新しいＤＣＩフォーマットを使用し得る。ＵＲＬＬＣが新しいＤＣＩフォーマットを使用する場合、ＤＣＩサイズ種類の数は、増加する。従って、ＤＣＩサイズ閾値（バジェット）をどのように決定するか、およびＤＣＩサイズ整合をどのように実施するかが、解決すべき緊急の課題である。サイズ閾値は、サイズバジェットである。実施形態において、説明の簡易性のために、ＰＵＳＣＨをスケジューリングするために新しく導入されたＤＣＩフォーマットは、ＤＣＩフォーマット０＿２と定義され、ＰＤＳＣＨをスケジューリングするために新しく導入されたＤＣＩフォーマットは、ＤＣＩフォーマット１＿２と定義される。
【００７３】
Ｒ１５において、ＤＣＩサイズバジェットは、「３＋１」であり、すなわち、セルについて、ＵＥによって取り扱われるＤＣＩサイズ種類の数は、４を超過せず、セル無線ネットワーク一時識別子（Ｃ−ＲＮＴＩ）によってスクランブルされるＤＣＩサイズ種類の数は、３を超過しない。関連分野におけるサイズ整合は、下記において説明されるステップを含む。ステップ０において、フォーマット０＿０が共通サーチスペース（ｃｏｍｍｏｎ  ｓｅａｒｃｈ  ｓｐａｃｅ；ＣＳＳ）においてフォーマット１＿０と整合される；ステップ１において、フォーマット０＿０がＵＥ固有サーチスペース（ＵＥ−ｓｐｅｃｉｆｉｃ  ｓｅａｒｃｈ  ｓｐａｃｅ；ＵＳＳ）においてフォーマット１＿０と整合される；ステップ２において、ＵＥ固有サーチスペース（ＵＳＳ）におけるフォーマット０＿１がＵＳＳにおけるフォーマット０＿０／１＿０と等しいサイズを有している場合、フォーマット０＿１は、１ビットのゼロパディングで充填され、フォーマット１＿１について同様である；ステップ３において、「取り扱われるサイズ種類の数が４を超過せず、Ｃ−ＲＮＴＩによってスクランブルされるＤＣＩサイズ種類の数が３を超過しない」ことが満たされた場合、工程は、終了する。そうでない場合、ステップ４が継続される。ステップ４において、ステップ２におけるパディングが除去され、ＵＳＳにおけるフォーマット１＿０／０＿０は、ＣＯＲＥＳＥＴ０／初期帯域幅部分（ｂａｎｄｗｉｄｔｈ  ｐａｒｔ；ＢＷＰ）を使用することによって再計算され、フォーマット０＿０のサイズは、ＵＳＳにおけるフォーマット１＿０と整合され、この場合、ＣＳＳにおけるフォーマット１＿０／０＿０のサイズは、ＵＳＳにおけるフォーマット１＿０／０＿０のサイズと整合される。上記のステップの後、ＵＥは、取り扱われるサイズ種類の数が４を超過し、Ｃ−ＲＮＴＩによってスクランブルされる種類の数が３を超過することを予期しない。一方、ＵＥは、ＵＳＳにおけるフォーマット０＿０のサイズおよびフォーマット０＿１のサイズが同じであることも、ＵＳＳにおけるフォーマット１＿０のサイズおよびフォーマット１＿１のサイズが同じであることも予期しない。
【００７４】
実施形態において、情報決定方法が提供される。方法は、下記において説明されるステップを含む。新しいＤＣＩフォーマットが追加される場合、ＤＣＩサイズ整合動作が実施される。新しいＤＣＩフォーマットは、以下のものを含む：アップリンクトラフィックチャネルをスケジューリングするためのフォーマット０＿２およびダウンリンクトラフィックチャネルをスケジューリングするためのフォーマット１＿２；サイズ閾値は、４以下の、各セルにおいてユーザ機器（ＵＥ）によって取り扱われるＤＣＩサイズ種類の数であり、セル無線ネットワーク一時識別子（Ｃ−ＲＮＴＩ）によってスクランブルされるＤＣＩサイズ種類の数は、３を超過しない；または、サイズ閾値は、５以下の、各セルにおいてＵＥによって取り扱われるＤＣＩサイズ種類の数であり、Ｃ−ＲＮＴＩによってスクランブルされるＤＣＩサイズ種類の数は、４を超過しない。
【００７５】
実施形態において、ＵＲＬＬＣ  ＤＣＩは、フォーマット０＿２のサイズおよびフォーマット１＿２のサイズを含む。実施形態において、ＵＲＬＬＣアップリンクトラフィックをスケジューリングするためのＤＣＩフォーマットは、ＤＣＩフォーマット０＿２であり、ＵＲＬＬＣダウンリンクトラフィックをスケジューリングするためのＤＣＩフォーマットは、ＤＣＩフォーマット１＿２であり、すなわち、ＵＲＬＬＣ  ＤＣＩ  ＵＬは、フォーマット０＿２であり、ＵＲＬＬＣ  ＤＣＩ  ＤＬは、フォーマット１＿２である。サイズバジェットが増加されることを許容されない場合、例えば、サイズバジェットは、依然として「３＋１」であることを維持し、すなわち、セルについて、ＵＥによって取り扱われるＤＣＩサイズ種類の数が４を超過せず、Ｃ−ＲＮＴＩによってスクランブルされるＤＣＩサイズ種類の数は、３を超過しない。この場合におけるサイズ整合を実施する方法は、下記において説明されるステップのうちの１つを含む。
【００７６】
実施形態において、サイズ閾値が、４以下の、各セルにおいてＵＥによって取り扱われるＤＣＩサイズ種類の数であり、Ｃ−ＲＮＴＩによってスクランブルされるＤＣＩサイズ種類の数が３を超過しない場合、ＤＣＩサイズ整合動作が実施されるステップは、下記において説明されるステップを含む。フォーマット０＿０のサイズは、フォーマット１＿０のサイズと整合され、フォーマット０＿１のサイズは、フォーマット１＿１のサイズと整合され、フォーマット０＿２のサイズは、フォーマット１＿２のサイズと整合される。実施形態において、フォールバックＤＣＩのフォーマット０＿０（つまり、ＤＣＩフォーマット０＿０およびＤＣＩフォーマット１＿０）のサイズは、フォールバックＤＣＩのフォーマット１＿０のサイズと整合され、非フォールバックＤＣＩのフォーマット０＿１のサイズは、非フォールバックＤＣＩのフォーマット１＿１のサイズと整合され、ＵＲＬＬＣ  ＤＣＩのフォーマット０＿２のサイズは、ＵＲＬＬＣ  ＤＣＩのフォーマット１＿２のサイズと整合され、つまり、合計で３つの種類が存在する。３つのＤＣＩフォーマットが等しいサイズを有する場合、ゼロパディングが追加される必要がある。実施形態において、方法は、ＵＲＬＬＣ  ＤＣＩのサイズがＲ１５のＤＣＩサイズと同じであることを許容しない。典型的に、ＤＣＩサイズ整合は、下記において説明されるステップを含む。ステップ０において、フォーマット０＿０のサイズがＣＳＳにおけるフォーマット１＿０のサイズと整合される；ステップ１において、フォーマット０＿０のサイズがＵＳＳにおけるフォーマット１＿０のサイズと整合される；ステップ２において、ＵＳＳにおけるフォーマット０＿１のサイズがＵＳＳにおけるフォーマット０＿０／１＿０のサイズと等しい場合、１ビットのゼロパディングがフォーマット０＿１に追加され、フォーマット１＿１，フォーマット０＿２およびフォーマット１＿２について同様である；ステップ３において、「取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ４が継続される。ステップ４において、ステップ２におけるパディングが除去され、ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０のサイズと整合され、この場合、ＣＳＳにおけるフォーマット１＿０／０＿０のサイズは、ＵＳＳにおけるフォーマット１＿０／０＿０のサイズと整合される。ステップ５において、「取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ６が継続される。ステップ６において、フォーマット０＿２がＵＳＳにおけるフォーマット１＿２と整合される。ステップ７において、「取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ８が継続される。ステップ８において、フォーマット０＿１がＵＳＳにおけるフォーマット１＿１と整合される。上記のステップの後、ＵＥは、取り扱われるサイズ種類の数が４を超過し、Ｃ−ＲＮＴＩによってスクランブルされるＤＣＩサイズ種類の数が３を超過することを予期しない。ＵＥは、フォーマット０＿０およびフォーマット０＿１がＵＳＳにおけるフォーマット０＿２と同じサイズを有することも、フォーマット１＿０およびフォーマット１＿１がＵＳＳにおけるフォーマット１＿２と同じサイズを有することも予期しない。
【００７７】
実施形態において、サイズ閾値が、４以下の、各セルにおいてＵＥによって取り扱われるＤＣＩサイズ種類の数であり、Ｃ−ＲＮＴＩによってスクランブルされるＤＣＩサイズ種類の数が３を超過しない場合、ＤＣＩサイズ整合動作が実施されるステップは、下記において説明されるステップを含む。フォーマット０＿２のサイズおよびフォーマット１＿２のサイズが第１の種類サイズに整合され、第１の種類サイズは、フォールバックＤＣＩのサイズまたは非フォールバックＤＣＩのサイズのうちの１つと整合される。実施形態において、ＵＲＬＬＣ  ＤＣＩのサイズは、Ｒ１５のフォールバックＤＣＩのサイズまたは非フォールバックＤＣＩのサイズのうちの１つと整合され、つまり、３つ以下の種類が存在し、ＵＲＬＬＣ  ＤＣＩのフォーマット０＿２のサイズおよびフォーマット１＿２のサイズは、第１の種類サイズに整合され、それは、第１の種類サイズに整合されたＵＲＬＬＣ  ＤＣＩ  ＵＬのサイズおよびＵＲＬＬＣ  ＤＣＩ  ＤＬのサイズと等価である。そして、ＤＣＩサイズ種類の数が３を超過しないという効果を奏するように、第１の種類サイズは、フォールバックＤＣＩのサイズまたは非フォールバックＤＣＩのサイズのうちの１つと整合される。
【００７８】
実施形態において、第１の種類サイズがフォールバックＤＣＩのサイズまたは非フォールバックＤＣＩのサイズのうちの１つと整合されるステップは、下記において説明されるステップのうちの１つを含む。第１の種類サイズは、より上位の層のシグナリングに従って、フォールバックＤＣＩのサイズまたは非フォールバックＤＣＩのサイズのうちの１つに整合されるように構成される；または、第１のサイズは、サイズ最近接原理に従って、フォールバックＤＣＩのサイズまたは非フォールバックＤＣＩのサイズのうちの１つに整合される。
【００７９】
実施形態において、第１のサイズは、より上位の層のシグナリングに従って、Ｒ１５の１つのフォーマットと整合されるように構成される。第１の種類サイズをＲ１５のフォールバックＤＣＩのサイズに整合させる例を挙げると、対応するＤＣＩサイズ整合は、以下のステップを含む：ステップ０において、フォーマット０＿０がＣＳＳにおけるフォーマット１＿０と整合される；ステップ１において、フォーマット０＿０がＵＳＳにおけるフォーマット１＿０と整合される；ステップ２において、ＵＳＳにおけるフォーマット０＿１がＵＳＳにおけるフォーマット０＿０／１＿０と等しいサイズを有する場合、１ビットのゼロパディングがフォーマット０＿１において実施され、フォーマット１＿１について同様である。フォーマット０＿２およびフォーマット１＿２は、いかなる動作でも処理されない。ステップ３において、「同時に取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ４が継続される。ステップ４において、フォーマット０＿２がＵＳＳにおけるフォーマット１＿２と整合される。ステップ５において、「同時に取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ６が継続される。ステップ６において、ＵＳＳにおけるフォーマット０＿２／１＿２がＵＳＳにおけるフォーマット０＿０／１＿０と整合される。ステップ７において、「同時に取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ８が継続される。ステップ８において、ステップ２におけるパディングが除去され、ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０のサイズと整合される。この場合、ＣＳＳにおけるフォーマット１＿０／０＿０のサイズは、ＵＳＳにおけるフォーマット１＿０／０＿０のサイズと整合され、ステップ６におけるパディングが除去される。フォーマット０＿２／１＿２は、フォーマット０＿０／１＿０と再整合される。上記のステップの後、ＵＥは、同時に取り扱われるサイズ種類の数が４を超過し、Ｃ−ＲＮＴＩによってスクランブルされるＤＣＩサイズ種類の数が３を超過することを予期しない。ＵＥは、ＵＳＳにおけるフォーマット０＿０／０＿２がＵＳＳにおけるフォーマット０＿１と同じサイズを有することも、ＵＳＳにおけるフォーマット１＿０／１＿２がＵＳＳにおけるフォーマット１＿１と同じサイズを有することも予期しない。
【００８０】
実施形態において、第１の種類サイズがサイズ最近接原理に従ってフォールバックＤＣＩのサイズまたは非フォールバックＤＣＩのサイズのうちの１つに整合されるステップは、下記において説明されるステップを含む。トラフィックチャネルをスケジューリングするためのＤＣＩのサイズがフォールバックＤＣＩのサイズより小さい場合、ＵＲＬＬＣ  ＤＣＩのサイズをフォールバックＤＣＩのサイズに整合させる動作は、実施されない。トラフィックチャネルをスケジューリングするためのＤＣＩのサイズがフォールバックＤＣＩのサイズより大きい場合、フォールバックＤＣＩのサイズまたは非フォールバックＤＣＩのサイズのうちの１つに整合させる動作が、サイズ最近接原理に従って実施される。実施形態において、ＵＲＬＬＣ  ＤＣＩのサイズがフォールバックＤＣＩのサイズより小さい場合、ＵＲＬＬＣ  ＤＣＩをフォールバックＤＣＩに整合させる動作は、実施されない。ＵＲＬＬＣ  ＤＣＩのサイズがフォールバックＤＣＩのサイズより大きい場合、サイズ最近接原理に従ってサイズ整合が実施される。典型的に、サイズ整合動作がサイズ最近接原理に従って実施される場合、対応するＤＣＩサイズ整合は、下記において説明されるステップを含む。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１について同様であり、一方、フォーマット０＿２およびフォーマット１＿２は、いかなる動作でも処理されない。ステップ３において、「同時に取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ４が継続される。ステップ４において、フォーマット０＿２がＵＳＳにおけるフォーマット１＿２と整合される。ステップ５において、「同時に取り扱われるサイズ種類の数が４を超過せず、Ｃ−ＲＮＴＩによってスクランブルされるＤＣＩサイズ種類の数が３を超過しない」ことが満たされた場合、ＤＣＩサイズ整合動作は、終了する。そうでない場合、ステップ６が継続される。ステップ６において、ＵＲＬＬＣ  ＤＣＩのサイズが、サイズ最近接原理を使用することによって、つまり、ＤＣＩサイズによって満たされる表４における条件に従って、Ｒ１５におけるフォールバックＤＣＩのサイズまたは非フォールバックＤＣＩのサイズのうちの１つに整合される。表４は、本出願の実施形態によって提供されるサイズ最近接原理に従ってサイズ整合を実施するための関係表である。典型的に、ＵＲＬＬＣ  ＤＣＩのサイズは、Ｎ１ビットであり、フォールバックＤＣＩのサイズは、Ｍビットであり、１つのスケジューリング方向における非フォールバックＤＣＩのＤＣＩサイズは、Ｐビットであり、もう１つのスケジューリング方向における非フォールバックＤＣＩのＤＣＩサイズは、Ｑビットであり、Ｍは、約４０ビットであり、ＰおよびＱは、約６０ビットであり、スケジューリング方向は、ＵＬおよびＤＬを指すと仮定され、ＵＲＬＬＣ  ＤＣＩのサイズは、ｅＭＢＢ  ＤＣＩのサイズより大きくないと仮定される。
【表４】
2021536179.tif 000007
【００８１】
上記のステップの後、ＵＥは、同時に取り扱われるサイズ種類の数が４を超過し、Ｃ−ＲＮＴＩによってスクランブルされるＤＣＩサイズ種類の数が３を超過することを予期しない。ＵＲＬＬＣ  ＤＣＩのサイズがフォールバックＤＣＩのサイズと同じである場合、ＵＥは、フォーマット０＿０／０＿２のサイズがＵＳＳにおけるフォーマット０＿１のサイズと同じであることも、フォーマット１＿０／１＿２のサイズがＵＳＳにおけるフォーマット１＿１のサイズと同じであることも予期しない；または、ＵＲＬＬＣ  ＤＣＩのサイズがフォーマット０＿１のサイズと同じである場合、ＵＥは、フォーマット０＿０のサイズがＵＳＳにおけるフォーマット０＿１／０＿２／１＿２のサイズと同じであることを予期しない；または、ＵＲＬＬＣ  ＤＣＩのサイズがフォーマット１＿１のサイズと同じである場合、ＵＥは、フォーマット１＿０のサイズがＵＳＳにおけるフォーマット１＿１／０＿２／１＿２のサイズと同じであることを予期しない。この実施形態において説明されたＤＣＩサイズ整合方法を通して、基地局および端末は、ＤＣＩサイズバジェット要件を確実にすることを前提に同じサイズ整合方法を実施することができるので、基地局および端末は、一致した理解を有し、それは、端末の処理能力を超過することもない。
【００８２】
実施形態において、サイズ閾値が、４以下の、各セルにおいてＵＥによって取り扱われるＤＣＩサイズ種類の数であり、Ｃ−ＲＮＴＩによってスクランブルされるＤＣＩサイズ種類の数が３を超過しない場合、ＤＣＩサイズ整合動作が実施されるステップは、下記において説明されるステップを含み、各セルにおいてＵＥによって取り扱われるＤＣＩサイズ種類の数は、各時間スパンの時間範囲内において４以下であり、Ｃ−ＲＮＴＩによってスクランブルされるＤＣＩサイズ種類の数は、３を超過しない。実施形態において、サイズバジェットが増加されることを許容されない場合、例えば、サイズバジェットは、依然として「３＋１」であることを維持し、すなわち、セルについて、ＵＥによって取り扱われるＤＣＩサイズ種類の数が４を超過せず、Ｃ−ＲＮＴＩによってスクランブルされるＤＣＩサイズ種類の数は、３を超過しない。この場合、サイズ整合を実施する方法は変わらないままであるが、サイズ整合は、より小さい時間粒度で実施される。実施形態において、「３＋１」は、スパンごとの粒度において維持され、すなわち、セルについて、スパンごとにＵＥによって取り扱われるサイズ種類の数は、４を超過せず、スパンごとにＣ−ＲＮＴＩによってスクランブルされるＤＣＩサイズ種類の数は、３を超過しない。総合的な取り扱われるＤＣＩサイズ種類は、４より多くあり得る。この実施形態における、ＤＣＩサイズバジェットを変わらないままに維持する方法を通して、基地局および端末がスパンごとの粒度においてＤＣＩサイズバジェットを変わらないままに維持することができるという前提を確実にするので、基地局および端末は、一致した理解を有し、それは、端末の処理能力を超過することもない。
【００８３】
サイズバジェットが増加されることを許容される場合、例えば、サイズバジェットは、「４＋１」に増加され得、すなわち、セルについて、ＵＥによって取り扱われるＤＣＩサイズ種類の数は、５を超過せず、Ｃ−ＲＮＴＩによってスクランブルされるＤＣＩサイズ種類の数は、４を超過しない。
【００８４】
実施形態において、サイズ閾値が、５以下の、各セルにおいてＵＥによって取り扱われるＤＣＩサイズ種類の数であり、Ｃ−ＲＮＴＩによってスクランブルされるＤＣＩサイズ種類の数が４を超過しない場合、ＤＣＩサイズ整合動作が実施されるステップは、下記において説明されるステップのうちの１つを含む。整合動作は、トラフィックチャネルをスケジューリングするためのＤＣＩフォーマット０＿２のサイズおよびトラフィックチャネルをスケジューリングするためのＤＣＩフォーマット１＿２のサイズにおいて実施される。トラフィックチャネルをスケジューリングするためのＤＣＩフォーマット０＿２のサイズまたはトラフィックチャネルをスケジューリングするためのＤＣＩフォーマット１＿２のサイズのうちの１つは、フォールバックＤＣＩのサイズに整合される。トラフィックチャネルをスケジューリングするためのＤＣＩフォーマット０＿２のサイズまたはトラフィックチャネルをスケジューリングするためのフォーマット１＿２のサイズのうちの１つは、非フォールバックＤＣＩのサイズに整合される。非フォールバックＵＬ  ＤＣＩのサイズは、非フォールバックＤＬ  ＤＣＩのサイズと整合される。トラフィックチャネルをスケジューリングするためのＤＣＩのサイズは、事前に構成されたモードに従って、フォールバックＤＣＩのサイズまたは非フォールバックＤＣＩのサイズのうちの１つに整合される。トラフィックチャネルをスケジューリングするためのＤＣＩのサイズは、プリセットされた規則に従って、フォールバックＤＣＩのサイズまたは非フォールバックＤＣＩのサイズのうちの１つに整合される。
【００８５】
実施形態において、トラフィックチャネルをスケジューリングするためのＤＣＩフォーマット０＿２のサイズおよびトラフィックチャネルをスケジューリングするためのＤＣＩフォーマット１＿２のサイズにおいて整合動作が実施される、すなわち、ＵＲＬＬＣ  ＤＣＩフォーマット０＿２およびＵＲＬＬＣ  ＤＣＩフォーマット１＿２においてサイズ整合動作が実施されるステップ。典型的に、対応するＤＣＩサイズ整合は、下記において説明されるステップを含み得る。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１について同様であり、一方、フォーマット０＿２およびフォーマット１＿２は、いかなる動作でも処理されない。ステップ３において、「取り扱われるサイズ種類の数が５以下であり、Ｃ−ＲＮＴＩによってスクランブルされるＤＣＩサイズ種類の数が４を超過しない」ことが満たされた場合、ＤＣＩサイズ整合動作は、終了する。そうでない場合、ステップ４が継続される。ステップ４において、ＵＳＳにおけるフォーマット０＿２がＵＳＳにおけるフォーマット１＿２と整合される。ステップ５において、「取り扱われるサイズ種類の数が５以下であり、Ｃ−ＲＮＴＩによってスクランブルされるＤＣＩサイズ種類の数が４を超過しない」ことが満たされた場合、ＤＣＩサイズ整合動作は、終了する。そうでない場合、ステップ６が継続される。ステップ６において、ステップ２におけるパディングが除去され、ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０のサイズと整合される。この場合、ＣＳＳにおけるフォーマット１＿０／０＿０のサイズは、ＵＳＳにおけるフォーマット１＿０／０＿０のサイズと整合される。上記のステップの後、ＵＥは、取り扱われるサイズ種類の数が５を超過し、Ｃ−ＲＮＴＩによってスクランブルされるＤＣＩサイズ種類の数が４を超過することを予期しない。ＵＥは、フォーマット０＿０のサイズおよびフォーマット０＿１のサイズがＵＳＳにおけるフォーマット０＿２のサイズと同じであることも、フォーマット１＿０のサイズおよびフォーマット１＿１のサイズがＵＳＳにおけるフォーマット１＿２のサイズと同じであることも予期しない。ステップ６とステップ４とは、交換される場合もある。
【００８６】
実施形態において、トラフィックチャネルをスケジューリングするためのＤＣＩフォーマット０＿２のサイズおよびトラフィックチャネルをスケジューリングするためのＤＣＩフォーマット１＿２のサイズは、フォールバックＤＣＩのサイズに整合され、すなわち、ＵＲＬＬＣ  ＤＣＩの一部分が、フォールバックＤＣＩに整合される。例えば、４０ビットに近接したサイズを有するＵＲＬＬＣ  ＤＣＩがフォールバックＤＣＩに整合されるように選択され、対応するＤＣＩサイズ整合は、下記において説明されるステップを含む。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１について同様である。フォーマット０＿２およびフォーマット１＿２は、いかなる動作でも処理されない。ステップ３において、「取り扱われるサイズ種類の数が５以下であり、Ｃ−ＲＮＴＩによってスクランブルされるＤＣＩサイズ種類の数が４を超過しない」ことが満たされた場合、ＤＣＩサイズ整合動作は、終了する。そうでない場合、ステップ４が継続される。ステップ４において、ステップ２におけるパディングが除去され、ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０のサイズと整合される。この場合、ＣＳＳにおけるフォーマット１＿０／０＿０のサイズは、ＵＳＳにおけるフォーマット１＿０／０＿０のサイズと整合される。ステップ５において、「取り扱われるサイズ種類の数が５以下であり、Ｃ−ＲＮＴＩによってスクランブルされるＤＣＩサイズ種類の数が４を超過しない」ことが満たされた場合、ＤＣＩサイズ整合動作は、終了する。そうでない場合、ステップ６が継続される。（例えば、ＤＬまたはＵＬのみがＵＲＬＬＣスケジューリングを必要とする場合、ステップ５は、終了ステップとして供される。）ステップ６において、フォーマット０＿２とフォーマット１＿２との間のより小さいサイズを有するフォーマットがフォーマット１＿０／０＿０のサイズと整合される。上記のステップの後、ＵＥは、取り扱われるサイズ種類の数が５を超過し、Ｃ−ＲＮＴＩによってスクランブルされるＤＣＩサイズ種類の数が４を超過することを予期しない。フォーマット１＿２のサイズがフォールバックＤＣＩのサイズと整合される場合、ＵＥは、フォーマット０＿０のサイズおよびフォーマット０＿１のサイズがＵＳＳにおけるフォーマット０＿２のサイズと同じであることを予期しない。フォーマット０＿２のサイズがフォールバックＤＣＩのサイズと整合される場合、ＵＥは、フォーマット１＿０のサイズおよびフォーマット１＿１のサイズがＵＳＳにおけるフォーマット１＿２のサイズと同じであることを予期しない。上記のステップにおいて、ステップ６とステップ４とは、交換される場合もある。しかし、��テップ６とステップ４との交換の後、ステップ４における説明は、「ＵＲＬＬＣ  ＤＣＩの前のパディングは、除去され、フォーマット０＿２とフォーマット１＿２との間のより小さいサイズを有するフォーマット（つまり、ｍｉｎ｛ｓｉｚｅ  ｏｆ  ｆｏｒｍａｔ  ０＿２，  ｓｉｚｅ  ｏｆ  ｆｏｒｍａｔ  １＿２｝）は、フォーマット１＿０／０＿０のサイズと再整合される」ことを追加する必要がある。
【００８７】
実施形態において、トラフィックチャネルをスケジューリングするためのＤＣＩフォーマット０＿２のサイズおよびトラフィックチャネルをスケジューリングするためのＤＣＩフォーマット１＿２のサイズは、非フォールバックＤＣＩのサイズに整合され、すなわち、ＵＲＬＬＣ  ＤＣＩの一部分がＲ１５の非フォールバックＤＣＩの一部分に整合される。例えば、ＵＲＬＬＣ  ＤＣＩのサイズがフォールバックＤＣＩのサイズより大きい場合、より大きいサイズを有するＵＲＬＬＣ  ＤＣＩの一部分がＲ１５の非フォールバックＤＣＩの一部分のサイズに整合されるように選択される。実施形態において、ＵＲＬＬＣ  ＤＬ  ＤＣＩは、ｅＭＢＢ  ＵＬ  ＤＣＩに整合されるか、または、ＵＲＬＬＣ  ＤＬ  ＤＣＩは、ｅＭＢＢ  ＤＬ  ＤＣＩに整合される。典型的に、対応するＤＣＩサイズ整合は、下記において説明されるステップを含む。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１について同様であり、一方、フォーマット０＿２およびフォーマット１＿２は、いかなる動作でも処理されない。ステップ３において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ４が継続される。ステップ４において、ステップ２におけるパディングが除去され、ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０のサイズと整合される。この場合、ＣＳＳにおけるフォーマット１＿０／０＿０のサイズは、ＵＳＳにおけるフォーマット１＿０／０＿０のサイズと整合される。ステップ５において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ６が継続される（例えば、ＤＬまたはＵＬのみがＵＲＬＬＣスケジューリングを必要とし、工程は、ステップ５の後に終了する）。ステップ６において、フォーマット０＿２とフォーマット１＿２との間のより大きいサイズを有するフォーマット（つまり、ｍａｘ｛ｓｉｚｅ  ｏｆ  ｆｏｒｍａｔ  ０＿２，  ｓｉｚｅ  ｏｆ  ｆｏｒｍａｔ  １＿２｝）がフォーマット１＿１またはフォーマット０＿１のサイズと整合される。上記のステップの後、ＵＥは、取り扱われるサイズ種類の数が超過し、Ｃ−ＲＮＴＩによってスクランブルされるＤＣＩサイズ種類の数が４を超過することを予期しない。フォーマット１＿２のサイズがフォーマット０＿１のサイズと整合される場合、ＵＥは、フォーマット０＿０のサイズがＵＳＳにおけるフォーマット０＿１のサイズおよびフォーマット０＿２のサイズと同じであることを予期しない。フォーマット０＿２のサイズがフォーマット１＿１のサイズと整合される場合、ＵＥは、フォーマット１＿０のサイズおよびフォーマット１＿１のサイズがＵＳＳにおけるフォーマット１＿２のサイズと同じであることを予期しない。上記のステップにおいて、ステップ６とステップ４とは、入れ替えられる場合もある。しかし、ステップ６とステップ４との交換の後、ステップ４における説明は、「ＵＲＬＬＣ  ＤＣＩの前のパディングは、除去され、フォーマット０＿２とフォーマット１＿２との間のより大きいサイズを有するフォーマット（つまり、ｍａｘ｛ｓｉｚｅ  ｏｆ  ｆｏｒｍａｔ  ０＿２，  ｓｉｚｅ  ｏｆ  ｆｏｒｍａｔ  １＿２｝）は、フォーマット１＿１またはフォーマット０＿１のサイズと再整合される」ことを適宜追加する必要がある。
【００８８】
実施形態において、非フォールバックＵＬ  ＤＣＩのサイズは、非フォールバックＤＬ  ＤＣＩのサイズと整合され、すなわち、Ｒ１５の非フォールバックＵＬ  ＤＣＩがＲ１５の非フォールバックＤＬ  ＤＣＩと整合される。典型的に、対応するＤＣＩサイズ整合は、下記において説明されるステップを含む。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１、フォーマット０＿２、およびフォーマット１＿２について同様である。ステップ３において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ４が継続される。ステップ４において、ステップ２におけるパディングが除去される。ＵＳＳにおけるフォーマット１＿０／０＿０は、ＣＯＲＥＳＥＴ０／初期ＢＷＰを使用することによって再計算され、ＵＳＳにおけるフォーマット０＿０のサイズは、ＵＳＳにおけるフォーマット１＿０に整合され、この場合、ＣＳＳにおけるフォーマット１＿０／０＿０のサイズは、ＵＳＳにおけるフォーマット１＿０／０＿０のサイズに整合される。ステップ５において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ６が継続される。ステップ６において、フォーマット０＿１がＵＳＳにおけるフォーマット１＿１と整合される。上記のステップの後、ＵＥは、取り扱われるサイズ種類の数が５を超過し、Ｃ−ＲＮＴＩによってスクランブルされるＤＣＩサイズ種類の数が４を超過することを予期しない。ＵＥは、フォーマット０＿０のサイズおよびフォーマット０＿１のサイズがＵＳＳにおけるフォーマット０＿２のサイズと同じであることも、フォーマット１＿０のサイズおよびフォーマット１＿１のサイズがＵＳＳにおけるフォーマット１＿２のサイズと同じであることも予期しない。
【００８９】
実施形態において、トラフィックチャネルをスケジューリングするためのＤＣＩのサイズは、事前に構成されたモードに従って、フォールバックＤＣＩのサイズまたは非フォールバックＤＣＩのサイズのうちの１つに整合され、すなわち、ＵＲＬＬＣ  ＤＣＩが構成様式でＲ１５フォーマットのうちの１つに整合され得る。すなわち、ＲＲＣは、ＵＲＬＬＣ  ＤＣＩのサイズが整合されるフォーマットを構成する。典型的に、対応するＤＣＩサイズ整合は、下記において説明されるステップを含み得る。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１、フォーマット０＿２、およびフォーマット１＿２について同様である。ステップ３において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ４が継続される。ステップ４において、ステップ２におけるパディングが除去される。ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０に整合され、この場合、ＣＳＳにおけるフォーマット１＿０／０＿０のサイズは、ＵＳＳにおけるフォーマット１＿０／０＿０のサイズに整合される。ステップ５において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ６が継続される。ステップ６において、ＲＲＣ構成に従って、ＵＲＬＬＣ  ＤＬ  ＤＣＩのサイズまたはＵＲＬＬＣ  ＵＬ  ＤＣＩのサイズのうちの１つが、ＲＲＣによって構成されたＲ１５フォーマットのうちの１つに整合される。上記のステップの後、ＵＥは、取り扱われるサイズ種類の数が５を超過し、Ｃ−ＲＮＴＩによってスクランブルされるＤＣＩサイズ種類の数が４を超過することを予期しない。フォーマット０＿２がゼロパディング動作を使用しない場合、ＵＥは、フォーマット０＿０のサイズおよびフォーマット０＿１のサイズがＵＳＳにおけるフォーマット０＿２のサイズと同じであることを予期せず、フォーマット１＿２がゼロパディング動作を使用しない場合、ＵＥは、フォーマット１＿０のサイズおよびフォーマット１＿１のサイズがＵＳＳにおけるフォーマット１＿２のサイズと同じであることを予期しない。
【００９０】
実施形態において、トラフィックチャネルをスケジューリングするためのＤＣＩのサイズは、プリセットされた規則に従って、フォールバックＤＣＩのサイズまたは非フォールバックＤＣＩのサイズのうちの１つに整合される。すなわち、ＵＲＬＬＣ  ＤＣＩのサイズが、プリセットされた規則（例えば、プリセットされた規則は、サイズに最も近接することを条件とし得る）に従って、Ｒ１５フォーマットのうちの１つに整合される。実施形態において、ＵＲＬＬＣ  ＤＣＩのサイズがフォールバックＤＣＩのサイズより小さい場合、フォールバックＤＣＩへの整合の動作がＵＲＬＬＣ  ＤＣＩにおいて実施される；ＵＲＬＬＣ  ＤＣＩのサイズがフォールバックＤＣＩのサイズより大きい場合、サイズ最近接原理に従って、サイズ整合動作が実施される。典型的に、対応するＤＣＩサイズ整合は、下記において説明されるステップを含み得る。ステップ０において、フォーマット０＿０がＣＳＳにおけるフォーマット１＿０と整合される。ステップ１において、フォーマット０＿０がＵＳＳにおけるフォーマット１＿０と整合される。ステップ２において、ＵＳＳにおけるフォーマット０＿１のサイズがＵＳＳにおけるフォーマット０＿０／１＿０のサイズと等しい場合、１ビットのゼロパディングがフォーマット０＿１において実施され、フォーマット１＿１、フォーマット０＿２、およびフォーマット１＿２について同様である。ステップ３において、「取り扱われるサイズ種類の数が５を超過せず、Ｃ−ＲＮＴＩによってスクランブルされるＤＣＩサイズ種類の数が４を超過しない」ことが満たされた場合、ＤＣＩサイズ整合動作は、終了する。そうでない場合、ステップ４が継続される。ステップ４において、ステップ２におけるパディングが除去される。ＵＳＳにおけるフォーマット１＿０／０＿０は、ＣＯＲＥＳＥＴ０／初期ＢＷＰを使用することによって再計算され、フォーマット０＿０のサイズは、ＵＳＳにおけるフォーマット１＿０に整合され、この場合、ＣＳＳにおけるフォーマット１＿０／０＿０のサイズは、ＵＳＳにおけるフォーマット１＿０／０＿０のサイズに整合される。ステップ５において、「取り扱われるサイズ種類の数が５を超過せず、スクランブルされるＤＣＩサイズ種類の数が４を超過しない」ことが満たされた場合、ＤＣＩサイズ整合動作は、終了する。そうでない場合、ステップ６が継続される。ステップ６において、サイズ最近接原理に従って、すなわち、ＤＣＩサイズによって満たされる表５における条件に従って、ＵＲＬＬＣ  ＤＣＩのサイズがＲ１５のフォールバックＤＣＩのサイズまたは非フォールバックＤＣＩのサイズのうちの１つに整合される。表５は、本出願の実施形態によって提供されるサイズ最近接原理に従ってサイズ整合を実施するための関係表である。典型的に、１つのスケジューリング方向におけるＵＲＬＬＣ  ＤＣＩのＤＣＩサイズは、Ｎ１ビットであり、もう１つのスケジューリング方向におけるＵＲＬＬＣ  ＤＣＩのＤＣＩサイズは、Ｎ２ビットであり、フォールバックＤＣＩのサイズは、Ｍビットであり、非フォールバックＤＣＩの１つのスケジューリング方向のＤＣＩサイズは、Ｐビットであり、非フォールバックＤＣＩのもう１つのスケジューリ���グ方向のＤＣＩサイズは、Ｑビットであり、Ｍは、約４０ビットであり、ＰおよびＱは、約６０ビットであり、スケジューリング方向は、ＵＬおよびＤＬを含み得ると仮定され、ＵＲＬＬＣ  ＤＣＩのサイズは、ｅＭＢＢ  ＤＣＩのサイズより大きくないと仮定される。
【表５−１】
2021536179.tif 000008
【表５−２】
2021536179.tif 000009
【００９１】
上記のステップの後、ＵＥは、取り扱われるサイズ種類の数が５を超過し、Ｃ−ＲＮＴＩによってスクランブルされるＤＣＩサイズ種類の数が４を超過することを予期しない。フォーマット０＿２がゼロパディング動作を使用しない場合、ＵＥは、フォーマット０＿０のサイズおよびフォーマット０＿１のサイズがＵＳＳにおけるフォーマット０＿２のサイズと同じであることを予期せず、フォーマット１＿２がゼロパディング動作を使用しない場合、ＵＥは、フォーマット１＿０のサイズおよびフォーマット１＿１のサイズがＵＳＳにおけるフォーマット１＿２のサイズと同じであることを予期しない。この実施形態において説明されるＤＣＩサイズ整合方法を通して、基地局および端末がＤＣＩサイズバジェット要件を確実にすることを前提に同じサイズ整合方法を実施することが確実にされるので、基地局および端末は、一致した理解を有し、それは、端末の処理能力を超過することもない。
【００９２】
実施形態において、情報決定方法は、下記において説明されるステップをさらに含み、フォーマット識別指示フィールドは、少なくとも１つのＤＣＩフォーマットについて構成される。実施形態において、フォーマット識別指示フィールドは、ＤＣＩフォーマットのうちの１つを指示するために使用される。例えば、フォーマット識別指示フィールドが１−ビット指示フィールドである場合、０は、ＵＬ  ＤＣＩを意味し、１は、ＤＬ  ＤＣＩを意味する。別の例について、フォーマット識別指示フィールドが２−ビット指示フィールドである場合、００は、フォーマット０＿１を意味し、０１は、フォーマット１＿１を意味し、１０は、フォーマット０＿２を意味し、１１は、フォーマット１＿２を意味する。別の例について、フォーマット識別指示フィールドが２−ビット指示フィールドである場合、００は、フォーマット０＿１を意味し、０１は、フォーマット０＿２を意味し、１０は、フォーマット１＿１を意味し、１１は、フォーマット１＿２を意味する。実施形態において、新しいＤＣＩフォーマットのサイズがフォールバックＤＣＩのサイズ（または非フォールバックＤＣＩのサイズ）と同じである場合、異なるＤＣＩフォーマットを区別する方法は、下記において説明されるステップを含み得、識別ビットフィールドは、ＤＣＩ整合を実施する２つのＤＣＩフォーマットについて構成される。実施形態において、識別ビットフィールドは、１ビットであり得、それは、新しいＤＣＩフォーマットまたは元のＤＣＩフォーマットを指示するために使用される；または、識別ビットフィールドは、２ビットであり得、それは、新しいＤＣＩフォーマットのＤＬ、新しいＤＣＩフォーマットのＵＬ、元のＤＣＩフォーマットのＤＬ、および元のＤＣＩフォーマットのＵＬのうちの１つを指示するために使用される。実施形態において、全てのＤＣＩフォーマットについてフォーマット識別指示フィールドを構成することが許容可能であり、新しく追加されたＤＣＩフォーマットについてフォーマット識別指示フィールドを構成することが許容可能であり、新しく追加されたＤＣＩフォーマットおよびフォールバックＤＣＩについてフォーマット識別指示フィールドを構成することが許容可能であり、ＤＣＩ整合動作を実施する２つのＤＣＩフォーマットについてフォーマット識別指示フィールドを構成することが許容可能である。
【００９３】
実施形態において、情報決定方法は、下記において説明されるステップをさらに含み、ＤＣＩ整合動作を実施するための２つのＤＣＩフォーマットは、フォーマット指示フラグによって区別される。実施形態において、新しいＤＣＩフォーマットのサイズがフォールバックＤＣＩのサイズ（または非フォールバックＤＣＩのサイズ）と同じである場合、異なるＤＣＩフォーマットを区別する方法は、下記において説明されるステップを含み得、ＵＲＬＬＣ  ＤＬ  ＤＣＩと整合されるべきｅＭＢＢ  ＵＬ  ＤＣＩおよびＵＲＬＬＣ  ＵＬ  ＤＣＩと整合されるべきｅＭＢＢ  ＤＬ  ＤＣＩは、ＤＣＩフォーマットにおいて運ばれるフォーマット指示フラグを通して区別される。非フォールバックＤＣＩについて、ＵＬのサイズおよびＤＬのサイズが整合される必要がないので、すなわち、ｅＭＢＢ  ＤＬ  ＤＣＩのサイズがＮビットであり、ｅＭＢＢ  ＵＬ  ＤＣＩのサイズがＭビットであり、ＭがＮと等しくない場合、（ＵＲＬＬＣが高信頼性であることを必要とせず、サイズがフォールバックのサイズより大きいことを必要としない）ＵＲＬＬＣ  ＤＬ  ＤＣＩは、Ｍビットに整合され、ＵＲＬＬＣ  ＵＬ  ＤＣＩは、Ｎビットに整合される。すなわち、Ｍビットの同じサイズを有するＤＣＩは、フラグ＝ＤＬの場合にＵＲＬＬＣを指示し、フラグ＝ＵＬの場合にｅＭＢＢを指示する；Ｎビットの同じサイズを有するＤＣＩは、フラグ＝ＤＬの場合にｅＭＢＢを指示し、フラグ＝ＵＬの場合にＵＲＬＬＣを指示する。この実施形態における、同じサイズを有するＤＣＩフォーマットを区別する方法を通して、端末が同じサイズの前提のもとに特定のＤＣＩフォーマットを正確に知ることができることが確実にされるので、基地局と端末との両方が、ＵＥ処理の煩雑さを増加させることなく同時に一致した理解を有することができる。
【００９４】
実施形態において、典型的に、Ｒ１６のＵＲＬＬＣの端末について、Ｒ１５と比較して、ブラインドデコード（ＢＤ閾値）の最大数および／またはチャネル推定のための非重複ＣＣＥ（ＣＣＥ閾値）の最大数が増加され、ＢＤ閾値および／またはＣＣＥ閾値は、スパンの粒度において定義付けられる。実施形態において、ＣＣＥ閾値の増加は、ＣＣＥ閾値を例に挙げることによって例示される。ＢＤ閾値を増加させる様式について、以下の方法が使用され得、本明細書において繰り返されない。
【００９５】
実施形態において、スパンを決定する方法は、下記において説明されるステップを含み得、スロットにおける時間スパンパターンは、ＵＥによって報告された（Ｘ，Ｙ）の候補セット、ＰＤＣＣＨ制御リソースセット（ＰＤＣＣＨ  ＣＯＲＥＳＥＴ）、およびサーチスペースを通して決定される。スパン間における重複は許容されず、２つのスパンの開始間における間隔は、Ｘシンボル以上である。スパン継続時間＝最大（構成された最大のＣＯＲＥＳＥＴ継続時間、ＵＥによって報告された最小のＹ）であり、スパンパターンにおける最後のスパンのみが、より短い継続時間であり得る。スパンの数は、１４／Ｘを切り捨てた値（すなわち、ｆｌｏｏｒ（１４／Ｘ））を超過せず、Ｘは、ＵＥによって報告されたＸの最小値である。典型的に、（Ｘ，Ｙ）は、以下のうちの少なくとも１つを含む：（１，１）、（２，１）、（２，２）、（４，１）、（４，２）、（４，３）、（７，１）、（７，２）、（７，３）。典型的に、ＵＥによって報告された（Ｘ，Ｙ）の候補セットは、以下のうちの少なくとも１つを含む：｛（７，３）、（４，３）および（７，３）、（２，２）および（４，３）および（７，３）｝。
【００９６】
実施形態において、各（Ｘ，Ｙ）に対応する制御チャネル要素（ＣＣＥ）閾値（すなわち、Ｃ  ＣＣＥ）は、事前定義、ＤＣＩ動的通知、またはＲＲＣ構成のうちの１つを通して決定される。典型的に、表６、表７、および表８は、本出願の実施形態によって提供されるＲＲＣによって構成されたＸと、Ｙと、Ｃとの間の関係表である。
【表６−１】
2021536179.tif 000010
【表６−２】
2021536179.tif 000011
【表７】
2021536179.tif 000012
【表８】
2021536179.tif 000013
【００９７】
実施形態において、ＵＥが異なる（Ｘ，Ｙ）セットを報告した後、各スパンのＣＣＥ（つまり、Ｃ）の最大数をどのように決定するかが、解決すべき緊急の課題である。
【００９８】
実施形態において、情報決定方法は、ＣＣＥ閾値を決定するために提供される。実施形態において、情報決定方法は、下記において説明されるステップを含む。各時間スパンのＣＣＥの最大数（スパンごとの最大ＣＣＥとしてマークされる）が決定される。
【００９９】
実施形態において、各スパンのＣＣＥの最大数が決定されるステップは、下記において説明されるステップのうちの１つを含む。各スパンのＣＣＥの最大数は、時間スパンパターンにおけるスパンの数、スロットにおける実際のスパンの数、および各スパンの限定されたＣＣＥの数に従って決定される。各スパンのＣＣＥの最大数は、各スロットにおける限定されたＣＣＥの数、スロットにおける実際のスパンの数、および各スパンの限定されたＣＣＥの数に従って決定される。
【０１００】
実施形態において、各スパンのＣＣＥの最大数が決定されるステップは、下記において説明されるステップを含む。各スパンのＣＣＥの最大数は、時間スパンパターンにおけるスパンの数、スロットにおける実際のスパンの数、および各スパンの限定されたＣＣＥの数に従って決定される。実施形態において、各スパンのＣＣＥの最大数は、時間スパンパターンにおけるスパンの数（スパンパターンにおけるスパンの数としてマークされる）、スロットにおける実際のスパンの数／空でないスパンの数（スロットｊにおける監視スパンの数またはスロットｊにおける空でないスパンの数としてマークされる）、および各スパンの限定されたＣＣＥの数（スパンごとのＣＣＥ限定としてマークされる）によって決定される。典型的に、スパンごとの最大ＣＣＥ＝
【数１】
2021536179.tif 000014
である。
【０１０１】
実施形態において、各スパンのＣＣＥの最大数が決定されるステップは、下記において説明されるステップを含む。各スパンのＣＣＥの最大数は、各スロットにおける限定されたＣＣＥの数、スロットにおける実際のスパンの数、および各スパンの限定されたＣＣＥの数に従って決定される。実施形態において、各スパンのＣＣＥの最大数は、各スロットにおける限定されたＣＣＥの数（スロットごとのＣＣＥ限定）、スロットにおける実際のスパンの数／空でないスパンの数（スロットｊにおける監視スパンの数またはスロットｊにおける空でないスパンの数としてマークされる）、および各スパンの限定されたＣＣＥの数（スパンごとのＣＣＥ限定としてマークされる）によって決定される。典型的に、スパンごとの最大ＣＣＥ＝
【数２】
2021536179.tif 000015
である。
【０１０２】
実施形態において、スロットごとのＣＣＥ限定の値は、スパンごとのＣＣＥ限定にスパンパターンにおけるスパンの数を掛けることによって取得され得る。
【０１０３】
実施形態において、各スパンのＣＣＥの最大数は、各スパンの限定されたＣＣＥの数（スパンごとのＣＣＥ限定）によって決定され得る。実施形態において、スパンごとの最大ＣＣＥ＝スパンごとのＣＣＥ限定である。実施形態において、各スパンのＣＣＥの最大数は、それぞれ、スロットにおける空のスパンの能力が他の実際のスパンと共有され得るか否かに従って決定される。他の実際のスパンと共有することが許容されない場合、各時間スパンのＣＣＥの最大数は、各スパンの限定されたＣＣＥの数によって決定され得る。他の実際のスパンと共有することが許容される場合、各スパンの限定されたＣＣＥの数を通して各スパンのＣＣＥの最大数を決定する様式を除いて、各スパンのＣＣＥの最大数を決定する任意の他の様式が使用され得る。
【０１０４】
この実施形態における情報決定方法は、各スパンの限定されたＣＣＥの数を通して各スパンのＣＣＥの最大数を取得し、それは、異なるシナリオに適用可能であり、例えば、スロットにおける空のスパンの能力は、他の実際のスパンと共有されることもあり、または、スロットにおける空のスパンの能力は、他の実際のスパンと共有されないこともあり、それは、ＵＥ能力を超過することなくスケジューリング柔軟性を増加させる。
【０１０５】
実施形態において、各スパンのＣＣＥの最大数を決定するために、各スパンの限定されたＣＣＥの数が最初に決定される。実施形態において、各スパンの限定されたＣＣＥの数を決定するための様式は、下記において説明されるステップを含む。各スパンの限定されたＣＣＥの数（Ｃ１としてマークされる）が構成される。
【０１０６】
実施形態において、各スパンは、ＵＥによって報告された各スパンのＣＣＥ閾値より大きい、限定されたＣＣＥの同じ数を有する。
【０１０７】
実施形態において、時間スパンパターンまたはスロットのうちの１つの実際のスパンにおいて、少なくとも１つのスパンの限定されたＣＣＥの数は、ＵＥによって報告された各スパンのＣＣＥ閾値より大きいように構成される。
【０１０８】
実施形態において、スパンごとのＣ１は、基地局を通して構成され得、Ｃ１＞Ｃが許容され、Ｃは、ＵＥによって報告されたスパンごとのＣＣＥ閾値である（すなわち、ＵＥによって報告された（Ｘ，Ｙ）セットに対応するＣに従って）。実施形態において、各スパンの限定されたＣＣＥの数（つまり、Ｃ１）は、同じであり、Ｃ１は、全てＣより大きくあり得る；または、スパンパターン／スロットの実際のスパンにおいて、１つのスパン、いくつかのスパン、または全てのスパンのＣ１は、ＵＥによって報告された各スパンのＣＣＥの最大数より大きいように構成され得る。この実施形態において、ｅＭＢＢによってサポートされるＣＣＥの最大数およびＵＲＬＬＣによってサポートされるＣＣＥの最大数が共有され得、各スパンの性能が異なるトラフィックに共有され得、それは、スケジューリング柔軟性を向上させる。
【０１０９】
実施形態において、各スパンの限定されたＣＣＥの数を決定するための様式は、下記において説明されるステップを含み得る。ＵＥによって報告された各スパンのＣＣＥ閾値と各スロットのＣＣＥの最大数との合計が、１つ以上のスパンの限定されたＣＣＥの数として供される。各スロットにおけるＣＣＥの最大数は、Ｒ１５の各スロットにおけるＣＣＥの最大数またはスロットごとのｅＭＢＢをスケジューリングするためのＣＣＥの最大数のうちの１つである。実施形態において、スパンの一部において、スパンの限定されたＣＣＥの数（つまり、Ｃ１）は、ＵＥによって報告された各スパンのＣＣＥ閾値（つまり、Ｃ）に、各スロットにおけるＣＣＥの最大数を追加することによって取得され、残りのスパンのＣ１は、ＵＥによって報告された各スパンのＣＣＥ閾値（つまり、Ｃ）と等しくあり得る。例えば、スロットにおける第１のスパンの限定されたＣＣＥの数（つまり、Ｃ１）は、Ｒ１５の各スロットにおけるＣＣＥの最大数とＲ１５のＵＥによって報告された各スパンのＣＣＥ閾値（つまり、Ｃ）との合計に等しく、残りのスパンの限定されたＣＣＥの数（つまり、Ｃ１）は、ＵＥによって報告された各スパンのＣＣＥ閾値（つまり、Ｃ）に等しい。この実施形態において、ｅＭＢＢによってサポートされるＣＣＥの最大数およびＵＲＬＬＣによってサポートされるＣＣＥの最大数が共有されることを許容されない場合、ｅＭＢＢスケジューリングまたは共通メッセージスケジューリングを有するスパンのみにＣＣＥ閾値が追加され、残りのスパンは、ＵＲＬＬＣによってサポートされるＣＣＥの最大数を依然として維持し、それは、端末にとって異なるプロトコルバージョンまたは異なるトラフィック種類を分類し処理するのに便利であり、端末処理の煩雑さが低減される。
【０１１０】
実施形態において、スパンごとに使用されるＣＣＥおよびスロットごとに使用されるＣＣＥを決定する／区別する（または、ＵＲＬＬＣによって使用されるＣＣＥおよびｅＭＢＢによって使用されるＣＣＥを決定する／区別する）ことは、下記において説明される様式のうちの１つを含む。新しいＤＣＩが使用される場合、ＣＣＥは、異なるサーチスペースを通して決定される。通常のＤＣＩが再使用される場合、ＣＣＥは、異なるサーチスペースおよび異なる無線ネットワーク一時識別子（ｒａｄｉｏ  ｎｅｔｗｏｒｋ  ｔｅｍｐｏｒａｒｙ  ｉｄｅｎｔｉｆｉｅｒ；ＲＮＴＩ）／情報ドメインを通して決定される；ＣＣＥは、異なる制御リソースセットを通して決定される。実施形態において、ＣＣＥは、異なる制御リソースセットを通して暗黙的に決定され、自身のサーチスペースについての自身のＣＣＥ閾値においてＣＯＲＥＳＥＴと関連付けられ、例えば、ＵＲＬＬＣは、１６個のＣＣＥを有するＣＯＲＥＳＥＴと関連付けられ、ｅＭＢＢは、５６個のＣＣＥを有するＣＯＲＥＳＥＴと関連付けられる。すなわち、それは、サーチスペース（ＳＳ）の構成パラメータにおける制御リソースセット識別子（ＩＤ）番号（ＣｏｎｔｒｏｌＲｅｓｏｕｒｃｅＳｅｔＩｄ）によって決定される。この実施形態において説明される情報決定方法に従って、各スパンのＣＣＥ閾値は、同じ値または異なる値によって決定され、それは、異なるシナリオ（例えば、ＵＲＬＬＣおよびｅＭＢＢが最大ＣＣＥ性能を共有するか、またはｅＭＢＢおよびＵＲＬＬＣが最大ＣＣＥ性能を共有しないシナリオ）に適用可能であり、それによって、ＵＥ性能を超過することなくスケジューリング柔軟性を増加させる。
【０１１１】
図２は、本出願の実施形態に従う情報決定デバイスのブロック図である。図２において示されるように、情報決定デバイスは、第１の決定モジュール２２０を含む。
【０１１２】
第１の決定モジュール２２０は、開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定するように構成される。
【０１１３】
この実施形態において提供される情報決定デバイスは、図１において示される実施形態の情報決定方法を実装するように構成され、類似の実装原理および技術的効果を有し、それらは、本明細書において詳細に説明されない。
【０１１４】
実施形態において、ＰＤＣＣＨ関連シンボルは、ＰＤＣＣＨ開始シンボル、ＰＤＣＣＨ終了シンボル、ＰＤＣＣＨ開始シンボルと第１のプリセットされた数のシンボルとの合計、またはＰＤＣＣＨ終了シンボルと第１のプリセットされた数のシンボルとの合計のうちの少なくとも１つを含む；ＰＤＣＣＨ開始シンボルは、ＰＤＣＣＨを伝送するために使用される時間ドメインシンボルにおける最初のシンボルであり、ＰＤＣＣＨ終了シンボルは、ＰＤＣＣＨを伝送するために使用される時間ドメインシンボルにおける最後のシンボルである。
【０１１５】
実施形態において、ＳＬＩＶの基準点として供されるＰＤＣＣＨ関連シンボルを有するＴＤＲＡ表が決定されるステップは、下記において説明されるステップを含む。ＳＬＩＶの基準点として供されるＰＤＣＣＨ関連シンボルを有するＴＤＲＡ表は、独立した構成様式において決定される。
【０１１６】
実施形態において、ＳＬＩＶの基準点として供されるＰＤＣＣＨ関連シンボルを有するＴＤＲＡ表が決定されるステップは、下記において説明されるステップを含む。ＳＬＩＶの基準点としてスロット境界を供することによって構成されるＴＤＲＡ表は、ＳＬＩＶの基準点としてＰＤＣＣＨ関連シンボルを供することによって構成されるＴＤＲＡ表とされる。
【０１１７】
実施形態において、ＳＬＩＶの基準点として供されるＰＤＣＣＨ関連シンボルを有するＴＤＲＡ表が決定されるステップは、下記において説明されるステップを含む。ＰＤＣＣＨ関連シンボルをＳＬＩＶの基準点として供することが無効状態にあるか否かが決定される。ＰＤＣＣＨ関連シンボルをＳＬＩＶの基準点として供することが無効状態にない場合、ＴＤＲＡ表における行インデックスがダウンリンク制御情報（ＤＣＩ）によって指示される。
【０１１８】
実施形態において、物理ダウンリンク共有チャネル（ＰＤＳＣＨ）または物理アップリンク共有チャネル（ＰＵＳＣＨ）がスケジューリングのために使用される場合、無効状態は、ＳＬＩＶの基準点がスロット境界を超過する場合、またはＳＬＩＶの基準点と長さとの合計がスロット境界を超過する場合のうちの少なくとも１つを含む。
【０１１９】
実施形態において、ＳＬＩＶの基準点としてスロット境界を供することによって構成されるＴＤＲＡ表がＳＬＩＶの基準点としてＰＤＣＣＨ関連シンボルを供することによって構成されるＴＤＲＡ表とされるステップは、下記において説明されるステップのうちの１つを含む。ＴＤＲＡ表における各行インデックスのＳＬＩＶの基準点は、ＰＤＣＣＨ関連シンボルまたはスロット境界のうちの１つとして構成される。ＳＬＩＶの基準点の再解釈が実施され、再解釈の開始シンボルは、Ｓであり、Ｓ＝０である。
【０１２０】
実施形態において、ＳＬＩＶの基準点として供されるＰＤＣＣＨ関連シンボルを有するＴＤＲＡ表が決定されるステップは、下記において説明されるステップを含む。ＳＬＩＶの基準点としてスロット境界を供することによって構成されるＴＤＲＡ表の行インデックスの一部が選択される。行インデックスの一部は、ＳＬＩＶの基準点として供されるＰＤＣＣＨ関連シンボルを有するＴＤＲＡ表として供される。
【０１２１】
実施形態において、ＳＬＩＶの基準点としてスロット境界を供することによって構成されるＴＤＲＡ表の行インデックスの一部が選択されるステップは、下記において説明されるステップを含む。第１のプリセットされた数を有する第１の行インデックスが行インデックスの一部として選択される。代替的に、行インデックスの一部がビットマップ形式で選択される。
【０１２２】
実施形態において、２つ以上のＴＤＲＡ表が存在し、少なくとも１つのＴＤＲＡ表がＳＬＩＶの基準点として供されるＰＤＣＣＨ関連シンボルを使用する場合、ＰＤＣＣＨ関連シンボルの異なる位置におけるＰＤＣＣＨまたは異なる時間スパンを有するＰＤＣＣＨは、完全には同じでないＴＤＲＡ表を使用する。
【０１２３】
実施形態において、ＰＤＣＣＨ関連シンボルの異なる位置におけるＰＤＣＣＨまたは異なる時間スパンを有するＰＤＣＣＨが完全には同じでないＴＤＲＡ表を使用するステップは、下記において説明されるステップのうちの１つを含む。
【０１２４】
各位置におけるＰＤＣＣＨまたは各スパンを有するＰＤＣＣＨは、１つの種類のＴＤＲＡ表を使用する。
【０１２５】
Ｘ個の開始シンボルセットは、それぞれ、Ｘ個のＴＤＲＡ表を使用し、Ｘ個の開始シンボルセットのうちの２つごとにおける要素は、互いに異なり、Ｘ個の開始シンボルセットの和集合は、スロットにおける全てのシンボルを含むか、または、Ｘ個の開始シンボルセットのうちの各々における要素は、独立して構成される。
【０１２６】
Ｘ個のスパンセットは、それぞれ、Ｘ個のＴＤＲＡ表を使用し、Ｘ個のスパンセットのうちの２つごとにおける要素は、互いに異なり、Ｘ個のスパンセットの和集合は、時間スパンパターンにおける全てのスパンを含むか、または、Ｘ個のスパンセットのうちの各々における要素は、独立して構成される。
【０１２７】
本出願の実施形態は、第２の決定モジュールを含む情報決定デバイスをさらに提供する。
【０１２８】
第２の情報決定モジュールは、ＳＬＩＶの基準点を決定するように構成され、基準点は、スロット境界またはＰＤＣＣＨ関連シンボルを含む。
【０１２９】
実施形態において、ＳＬＩＶの基準点を決定するステップは、下記において説明されるステップのうちの１つを含む。ＳＬＩＶの基準点は、トラフィックチャネル種類に従って決定され、トラフィックチャネル種類は、種類Ａおよび種類Ｂを含む。ＰＤＣＣＨ関連シンボルは、デフォルトでＳＬＩＶの基準点として供される。ＳＬＩＶの基準点と長さとの合計がスロット境界を超過する場合、ＳＬＩＶの基準点は、スロット境界であると決定される。ＳＬＩＶの基準点は、ＰＤＣＣＨ関連シンボルの位置に従って決定される。ＳＬＩＶの基準点は、トラフィックチャネルをスケジューリングするためのダウンリンク制御情報（ＤＣＩ）フォーマットに従って決定される。
【０１３０】
実施形態において、トラフィックチャネルをスケジューリングするためのＤＣＩフォーマットに従ってＳＬＩＶの基準点が決定されるステップは、下記において説明されるステップを含む。ＳＬＩＶの基準点として供されるＰＤＣＣＨ関連シンボルを有するＴＤＲＡ表が、第１のＤＣＩフォーマットにおいて使用されると決定され、第１のＤＣＩフォーマットは、新しいＤＣＩフォーマット、超高信頼低遅延通信（ＵＲＬＬＣ）をスケジューリングするためのＤＣＩフォーマット、プリセットされた閾値より小さいＤＣＩサイズを有するＤＣＩフォーマット、またはプリセットされた閾値より小さいＤＣＩにおける時間ドメインリソース割り当てドメインサイズを有するＤＣＩフォーマットのうちの１つを含む。
【０１３１】
実施形態において、ＰＵＳＣＨをスケジューリングするために使用されるＴＤＲＡ表の場合、ＳＬＩＶの基準点を構成するための様式は、下記において説明されるステップのうちの１つを含む。ＳＬＩＶの基準点は、独立して構成される。ＰＤＣＣＨ関連シンボルは、デフォルトでＳＬＩＶの基準点として供される。ＰＵＳＣＨが反復伝送についてスケジューリングされる場合、ＳＬＩＶ基準点は、スロット境界であると決定される。ＰＵＳＣＨが非反復伝送についてスケジューリングされる場合、ＳＬＩＶ基準星は、ＰＤＣＣＨ関連シンボルであると決定される。
【０１３２】
実施形態において、新しいＤＣＩフォーマットが追加される場合、少なくとも２つの異なるＤＣＩフォーマットにおいて時間ドメインリソース割り当てによって使用されるＴＤＲＡ表を決定するための様式は、下記において説明されるステップのうちの１つを含む。
【０１３３】
第２のＤＣＩフォーマットは、無線リソース制御（ＲＲＣ）によって構成されるＴＤＲＡ表を使用する。第１のＤＣＩフォーマットは、デフォルトＴＤＲＡ表を使用する。デフォルトＴＤＲＡ表は、少なくとも２つの異なるＤＣＩフォーマットについて独立して構成される。ＴＤＲＡ表は、少なくとも２つの異なるＤＣＩフォーマットについて独立して構成される。
【０１３４】
実施形態において、本出願の実施形態は、情報決定デバイスをさらに提供する。第１のＤＣＩフォーマットおよび第２のＤＣＩフォーマットがトラフィックチャネルをスケジューリングするために使用される場合、トラフィックチャネルに対応する優先度を決定する方法は、下記において説明されるステップのうちの１つを含む。トラフィックチャネルをスケジューリングするための第１のＤＣＩフォーマットに対応する優先度は、トラフィックチャネルをスケジューリングするために使用される第２のＤＣＩフォーマットに対応する優先度より高いように構成される。トラフィックチャネルをスケジューリングするための第１のＤＣＩフォーマットに対応する最も低い優先度は、トラフィックチャネルをスケジューリングするために使用される第２のＤＣＩフォーマットに対応する優先度と等しいように構成される。
【０１３５】
実施形態において、本出願の実施形態は、情報決定デバイスをさらに提供する。デバイスは、実行モジュールを含む。
【０１３６】
実行モジュールは、新しいＤＣＩフォーマットを追加する場合において、ＤＣＩサイズ整合動作を実施するように構成される；新しいＤＣＩフォーマットは、以下のものを含む：アップリンクトラフィックチャネルをスケジューリングするためのフォーマット０＿２およびダウンリンクトラフィックチャネルをスケジューリングするためのフォーマット１＿２；サイズ閾値は、４以下の、各セルにおいてユーザ機器（ＵＥ）によって取り扱われるＤＣＩサイズ種類の数であり、セル無線ネットワーク一時識別子（Ｃ−ＲＮＴＩ）によってスクランブルされるＤＣＩサイズ種類の数は、３を超過しない；または、サイズ閾値は、５以下の、各セルにおいてＵＥによって取り扱われるＤＣＩサイズ種類の数であり、Ｃ−ＲＮＴＩによってスクランブルされるＤＣＩサイズ種類の数は、４を超過しない。
【０１３７】
実施形態において、サイズ閾値が４以下の、各セルにおいてＵＥによって取り扱われるＤＣＩサイズ種類の数であり、Ｃ−ＲＮＴＩによってスクランブルされるＤＣＩサイズ種類の数が３を超過しない場合、ＤＣＩサイズ整合動作が実施されるステップは、下記において説明されるステップを含む。フォーマット０＿０のサイズがフォーマット１＿０のサイズと整合される。フォーマット０＿１のサイズがフォーマット１＿１のサイズと整合される。フォーマット０＿２のサイズがフォーマット１＿２のサイズと整合される。
【０１３８】
実施形態において、サイズ閾値が４以下の、各セルにおいてＵＥによって取り扱われるＤＣＩサイズ種類の数であり、Ｃ−ＲＮＴＩによってスクランブルされるＤＣＩサイズ種類の数が３を超過しない場合、ＤＣＩサイズ整合動作が実施されるステップは、下記において説明されるステップを含む。
【０１３９】
フォーマット０＿２のサイズがフォーマット１＿２のサイズと整合され、第１の種類サイズに整合される。第１の種類サイズは、フォールバックＤＣＩのサイズまたは非フォールバックＤＣＩのサイズのうちの１つと整合される。
【０１４０】
実施形態において、第１の種類サイズがフォールバックＤＣＩのサイズまたは非フォールバックＤＣＩのサイズのうちの１つと整合されるステップは、下記において説明されるステップのうちの１つを含む。
【０１４１】
第１の種類サイズは、より上位の層のシグナリングに従って、フォールバックＤＣＩのサイズまたは非フォールバックＤＣＩのサイズのうちの１つと整合されるように構成される。
【０１４２】
第１の種類サイズは、サイズ最近接原理に従って、フォールバックＤＣＩのサイズまたは非フォールバックＤＣＩのサイズのうちの１つに整合される。
【０１４３】
実施形態において、第１の種類サイズがサイズ最近接原理に従ってフォールバックＤＣＩのサイズまたは非フォールバックＤＣＩのサイズのうちの１つに整合されるステップは、下記において説明されるステップを含む。
【０１４４】
トラフィックチャネルをスケジューリングするためのＤＣＩのサイズがフォールバックＤＣＩのサイズより小さい場合、ＵＲＬＬＣ  ＤＣＩのサイズをフォールバックＤＣＩのサイズに整合させる動作は、実施されない。
【０１４５】
トラフィックチャネルをスケジューリングするためのＤＣＩのサイズがフォールバックＤＣＩのサイズより大きい場合、第１の種類サイズをフォールバックＤＣＩのサイズまたは非フォールバックＤＣＩのサイズのうちの１つに整合させる動作が、サイズ最近接原理に従って実施される。
【０１４６】
実施形態において、サイズ閾値が４以下の、各セルにおいてＵＥによって取り扱われるＤＣＩサイズ種類の数であり、Ｃ−ＲＮＴＩによってスクランブルされるＤＣＩサイズ種類の数が３を超過しない場合、ＤＣＩサイズ整合動作が実施されるステップは、下記において説明されるステップを含む。
【０１４７】
各時間スパンの時間範囲内において、各セルにおいてＵＥによって取り扱われるＤＣＩサイズ種類の数は、４以下であるように構成され、Ｃ−ＲＮＴＩによってスクランブルされるＤＣＩサイズ種類の数は、３を超過しない。
【０１４８】
実施形態において、サイズ閾値が５以下の、各セルにおいてＵＥによって取り扱われるＤＣＩサイズ種類の数であり、Ｃ−ＲＮＴＩによってスクランブルされるＤＣＩサイズ種類の数が４を超過しない場合、ＤＣＩサイズ整合動作が実施されるステップは、下記において説明されるステップのうちの１つを含む。整合動作は、トラフィックチャネルをスケジューリングするためのＤＣＩフォーマット０＿２のサイズおよびトラフィックチャネルをスケジューリングするためのＤＣＩフォーマット１＿２のサイズにおいて実施される。トラフィックチャネルをスケジューリングするためのＤＣＩフォーマット０＿２のサイズまたはトラフィックチャネルをスケジューリングするためのＤＣＩフォーマット１＿２のサイズのうちの１つは、フォールバックＤＣＩのサイズに整合される。トラフィックチャネルをスケジューリングするためのＤＣＩフォーマット０＿２のサイズまたはトラフィックチャネルをスケジューリングするためのフォーマット１＿２のサイズのうちの１つは、非フォールバックＤＣＩのサイズに整合される。非フォールバックＵＬ  ＤＣＩのサイズは、非フォールバックＤＬ  ＤＣＩのサイズと整合される。トラフィックチャネルをスケジューリングするためのＤＣＩのサイズは、事前に構成されたモードに従って、フォールバックＤＣＩのサイズまたは非フォールバックＤＣＩのサイズのうちの１つに整合される。トラフィックチャネルをスケジューリングするためのＤＣＩのサイズは、プリセットされた規則に従って、フォールバックＤＣＩのサイズまたは非フォールバックＤＣＩのサイズのうちの１つに整合される。
【０１４９】
実施形態において、情報決定デバイスは、構成モジュールをさらに含み、構成モジュールは、少なくとも１つのＤＣＩフォーマットについてのフォーマット識別指示フィールドを構成するように構成される。
【０１５０】
実施形態において、情報決定デバイスは、区別モジュールをさらに含み、区別モジュールは、フォーマット指示フラグを通してＤＣＩ整合動作を実施するための２つのＤＣＩフォーマットを区別するように構成される。
【０１５１】
実施形態において、本出願の実施形態は、情報決定デバイスをさらに提供する。デバイスは、各時間スパンのＣＣＥの最大数を決定するように構成された第３の決定モジュールを含む。
【０１５２】
実施形態において、各スパンのＣＣＥの最大数が決定されるステップは、下記において説明されるステップのうちの１つを含む。
【０１５３】
各スパンのＣＣＥの最大数は、時間スパンパターンにおけるスパンの数、スロットにおける実際のスパンの数、および各スパンの限定されたＣＣＥの数に従って決定される。各スパンのＣＣＥの最大数は、各スロットにおける限定されたＣＣＥの数、スロットにおける実際のスパンの数、および各スパンの限定されたＣＣＥの数に従って決定される。
【０１５４】
実施形態において、各スパンの限定されたＣＣＥの数を決定するための様式は、下記において説明されるステップを含む。各スパンの限定されたＣＣＥの数が構成される。
【０１５５】
実施形態において、各スパンは、ＵＥによって報告された各スパンのＣＣＥ閾値より大きい、限定されたＣＣＥの同じ数を有する。
【０１５６】
実施形態において、時間スパンパターンまたはスロットのうちの１つの実際のスパンにおいて、１つ以上のスパンの限定されたＣＣＥの数は、ＵＥによって報告された各スパンのＣＣＥ閾値より大きいように構成される。
【０１５７】
実施形態において、各スパンの限定されたＣＣＥの数を決定するための様式は、下記において説明されるステップを含む。
【０１５８】
ＵＥによって報告された各スパンのＣＣＥ閾値と各スロットのＣＣＥの最大数との合計が、少なくとも１つのスパンの限定されたＣＣＥの数として供される。
【０１５９】
図３は、本出願の実施形態に従うデバイスの構造図である。図３において示されるように、本出願において提供されるデバイスは、プロセッサ３１０およびメモリ３２０を含む。デバイスは、１つ以上のプロセッサ３１０を有し得、デバイスにおける１つのプロセッサ３１０が図３において例として挙げられる。デバイスは、１つ以上のメモリ３２０を有し得、デバイスにおける１つのメモリ３２０が図３において例として挙げられる。デバイスのプロセッサ３１０およびメモリ３２０は、バスによって、または他の様式で接続され、バスによる接続が図３において例として挙げられる。実施形態において、デバイスは、基地局であり得る。
【０１６０】
コンピューター可読記憶媒体としてのメモリ３２０は、本出願の任意の実施形態におけるデバイスに対応するソフトウェアプログラム、コンピューター実行可能プログラム、およびプログラム命令／モジュールなどのモジュール（情報決定デバイスにおける第１の決定モジュール２２０など）を格納するように構成され得る。メモリ３２０は、プログラム記憶領域およびデータ記憶領域を主に含み得、プログラム記憶領域は、少なくとも１つの機能によって必要とされる動作システムおよびアプリケーションプログラムを格納し得、一方、データ記憶領域は、デバイスの使用に応じて作られるデータを格納し得る。加えて、メモリ３２０は、高速ランダムアクセスメモリを含み得、少なくとも１つのディスクメモリ、フラッシュメモリ、またはその他の不揮発性ソリッドステートメモリなどの不揮発性メモリも含み得る。いくつかの例において、メモリ３２０は、プロセッサ３１０に対してリモートに配置されたメモリを含み得、これらのリモートメモリは、ネットワークを介してデバイスに接続され得る。上記において説明されたネットワークの例は、インターネット、イントラネット、ローカルエリアネットワーク、モバイル通信ネットワーク、およびそれらの組み合わせを含むが、それらに限定されない。
【０１６１】
上記において提供されるデバイスは、上記において説明された任意の実施形態によって提供される基地局に適用される情報決定方法を実行するように構成され得、対応する機能および有益な効果を有する。
【０１６２】
本出願の実施形態は、コンピューター実行可能命令を含む記憶媒体をさらに提供する。コンピューター実行可能命令は、コンピュータープロセッサによって実行される場合、情報決定方法を実行するために使用される。方法は、基地局側に適用され、下記において説明されるステップを含む。開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表が決定される。
【０１６３】
本出願の実施形態は、コンピューター実行可能命令を含む記憶媒体をさらに提供する。コンピューター実行可能命令は、コンピュータープロセッサによって実行される場合、情報決定方法を実行するために使用される。方法は、基地局側に適用され、下記において説明されるステップを含む。ＳＬＩＶの基準点が決定される。基準点は、スロット境界またはＰＤＣＣＨ関連シンボルを含む。
【０１６４】
本出願の実施形態は、コンピューター実行可能命令を含む記憶媒体をさらに提供する。コンピューター実行可能命令は、コンピュータープロセッサによって実行される場合、情報決定方法を実行するために使用される。方法は、基地局側に適用され、下記において説明されるステップを含む。第１のＤＣＩフォーマットおよび第２のＤＣＩフォーマットがトラフィックチャネルをスケジューリングするために使用される場合、トラフィックチャネルに対応する優先度を決定する方法は、下記において説明されるステップのうちの１つを含む。トラフィックチャネルをスケジューリングするための第１のＤＣＩフォーマットに対応する優先度は、トラフィックチャネルをスケジューリングするために使用される第２のＤＣＩフォーマットに対応する優先度より高いように構成される。トラフィックチャネルをスケジューリングするための第１のＤＣＩフォーマットに対応する最も低い優先度は、トラフィックチャネルをスケジューリングするために使用される第２のＤＣＩフォーマットに対応する優先度と等しいように構成される。
【０１６５】
本出願の実施形態は、コンピューター実行可能命令を含む記憶媒体をさらに提供する。コンピューター実行可能命令は、コンピュータープロセッサによって実行される場合、情報決定方法を実行するために使用される。方法は、基地局側に適用され、下記において説明されるステップを含む。新しいＤＣＩフォーマットが追加される場合、ＤＣＩサイズ整合動作が実施される。新しいＤＣＩフォーマットは、アップリンクトラフィックチャネルをスケジューリングするためのフォーマット０＿２およびダウンリンクトラフィックチャネルをスケジューリングするためのフォーマット１＿２を含み、サイズ閾値は、４以下の、各セルにおいてユーザ機器（ＵＥ）によって取り扱われるＤＣＩサイズ種類の数であり、セル無線ネットワーク一時識別子（Ｃ−ＲＮＴＩ）によってスクランブルされるＤＣＩサイズ種類の数は、３を超過しない；または、サイズ閾値は、５以下の、各セルにおいてＵＥによって取り扱われるＤＣＩサイズ種類の数であり、Ｃ−ＲＮＴＩによってスクランブルされるＤＣＩサイズ種類の数は、４を超過しない。
【０１６６】
本出願の実施形態は、コンピューター実行可能命令を含む記憶媒体をさらに提供する。コンピューター実行可能命令は、コンピュータープロセッサによって実行される場合、情報決定方法を実行するために使用される。方法は、基地局側に適用され、下記において説明されるステップを含む。各時間スパンのＣＣＥの最大数が決定される。
【０１６７】
上記は、本出願の例示的な実施形態に過ぎず、本出願の範囲を限定することを意図されていない。
【０１６８】
ユーザ機器という用語は、携帯電話、ポータブルデータ処理装置、ポータブルウェブブラウザ、またはオンボードのモバイル局など任意の適した種類の無線ユーザ機器を包含するということが、当業者によって理解されるべきである。
【０１６９】
概して、本出願の様々な実施形態は、ハードウェアまたは専用の回路、ソフトウェア、ロジック、またはそれらの任意の組み合わせにおいて実装され得る。例えば、いくつかの様態は、ハードウェアにおいて実装され得るが、その他の様態は、コントローラ、マイクロプロセッサ、またはその他のコンピューティング装置によって実行され得るファームウェアまたはソフトウェアにおいて実装され得るものの、本出願は、それらに限定されない。
【０１７０】
本出願の実施形態は、コンピュータープログラム命令を実行するモバイル装置のデータプロセッサによって（例えば、プロセッサエンティティにおいて、またはハードウェアによって、またはソフトウェアとハードウェアとの組み合わせによって）実装され得る。コンピュータープログラム命令は、組み立て命令、命令セットアーキテクチャ（ｉｎｓｔｒｕｃｔｉｏｎ  ｓｅｔ  ａｒｃｈｉｔｅｃｔｕｒｅ；ＩＳＡ）命令、機械命令、機械関連命令、マイクロコード、ファームウェア命令、ステータス設定データ、または１つ以上のプログラミング言語の任意の組み合わせで書かれたリソースもしくはオブジェクトコードであり得る。
【０１７１】
本出願の図面における任意のロジックフローのブロック図は、プログラムステップを表現し得るか、または相互接続されたロジック回路、モジュール、および機能を表現し得るか、またはプログラムステップとロジック回路、モジュール、および機能との組み合わせを表現し得る。コンピュータープログラムは、メモリ上に格納され得る。メモリは、ローカル技術的環境に適した任意の種類のものであり得、任意の適したデータ格納技術を使用することによって実装され得る。例えば、メモリは、読み出し専用メモリ（ＲＯＭ）、ランダムアクセスメモリ（ＲＡＭ）、光学メモリ装置およびシステム（デジタルビデオディスク（ＤＶＤ）またはコンパクトディスク（ＣＤ））などであり得るが、それらに限定されない。コンピューター可読媒体は、非一時的記憶媒体を含み得る。データプロセッサは、汎用コンピューター、専用コンピューター、マイクロプロセッサ、デジタル信号処理（ＤＳＰ）、特定用途向け集積回路（ＡＳＩＣｓ）、フィールドプログラマブルゲートアレイ（ＦＧＰＡ）、およびマルチコアプロセッサアーキテクチャに基づくプロセッサなどであるがそれらに限定されない、ローカル技術的環境に適した任意の種類のものであり得る。
【図１】
2021536179.tif 000016
【図２】
2021536179.tif 000017
【図３】
2021536179.tif 000018
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
情報決定方法であって、前記方法は、
トラフィックチャネルマッピング種類を決定することであって、前記トラフィックチャネルマッピング種類は、種類Ａおよび種類Ｂを含む、ことと、
前記決定されたトラフィックチャネルマッピング種類に従って、物理ダウンリンク共有チャネル（ＰＤＳＣＨ）の時間ドメインリソース割り当てに対し、開始シンボルの基準点を決定することであって、前記基準点は、スロット境界または物理ダウンリンク制御チャネル（ＰＤＣＣＨ）関連シンボルを含む、こと
を含む、方法。
【請求項２】
前記ＰＤＣＣＨ関連シンボルは、ＰＤＣＣＨ開始シンボルを含む、請求項１に記載の方法。
【請求項３】
前記トラフィックチャネルマッピング種類が種類Ａであることを決定することに応答して、前記基準点が前記スロット境界であることを決定することをさらに含む、請求項１に記載の方法。
【請求項４】
前記トラフィックチャネルマッピング種類が種類Ｂであることを決定することに応答して、前記基準点が前記ＰＤＣＣＨ開始シンボルであることを決定することをさらに含む、請求項２に記載の方法。
【請求項５】
開始シンボルの基準点を決定するステップは、
前記ＰＤＣＣＨ関連シンボルをデフォルトで前記基準点として供し、前記基準点と長さとの合計が前記スロット境界を超過することを決定することに応答して、前記基準点が前記スロット境界であることを決定すること、
前記ＰＤＣＣＨ関連シンボルの位置に従って、前記基準点を決定すること、または、
トラフィックチャネルをスケジューリングするためにダウンリンク制御情報（ＤＣＩ）フォーマットに従って前記基準点を決定すること
のうちの少なくとも１つをさらに含む、請求項１に記載の方法。
【請求項６】
トラフィックチャネルをスケジューリングするためにダウンリンク制御情報（ＤＣＩ）フォーマットに従って前記基準点を決定するステップは、
第１のＤＣＩフォーマットにおいて使用されるように前記基準点として供する前記ＰＤＣＣＨ関連シンボルを有する時間ドメインリソース割り当て（ＴＤＲＡ）表を決定すること
のうちの少なくとも１つをさらに含み、
前記第１のＤＣＩフォーマットは、新しいＤＣＩフォーマット、超高信頼低遅延通信（ＵＲＬＬＣ）をスケジューリングするためのＤＣＩフォーマット、プリセットされた閾値より小さいＤＣＩサイズを有するＤＣＩフォーマット、またはプリセットされた閾値より小さいＤＣＩにおける時間ドメインリソース割り当てドメインサイズを有するＤＣＩフォーマットのうちの少なくとも１つを含む、請求項５に記載の方法。
【請求項７】
前記新しいＤＣＩフォーマットを追加する場合、ＴＤＲＡ表を決定するステップは、
第２のＤＣＩフォーマットによって、無線リソース制御（ＲＲＣ）によって構成された前記ＴＤＲＡ表を使用し、前記第１のＤＣＩフォーマットによって、デフォルトＴＤＲＡ表を使用すること、
少なくとも２つの異なるＤＣＩフォーマットに対して独立して前記デフォルトＴＤＲＡ表を構成すること、または、
前記少なくとも２つの異なるＤＣＩフォーマットに対して独立して前記ＴＤＲＡ表を構成すること
のうちの少なくとも１つを含む、請求項６に記載の方法。
【請求項８】
ＴＤＲＡ表は、物理ダウンリンク共有チャネル（ＰＵＳＣＨ）をスケジューリングするために使用され、前記方法は、
前記基準点を独立して構成すること、
前記ＰＤＣＣＨ関連シンボルをデフォルトで前記基準点として供すること、
前記ＰＵＳＣＨが反復伝送のためにスケジューリングされたことを決定することに応答して、前記基準点が前記スロット境界であることを決定すること、または、
前記ＰＵＳＣＨが非反復伝送のためにスケジューリングされたことを決定することに応答して、前記基準点が前記ＰＤＣＣＨ関連シンボルであることを決定すること
のうちの少なくとも１つを含む、請求項１に記載の方法。
【請求項９】
プロセッサおよびメモリを含むデバイスであって、前記プロセッサは、前記メモリからコードを読み出し、請求項１に記載の方法を実施するように構成されている、デバイス。
【請求項１０】
プロセッサおよびメモリを含むデバイスであって、前記プロセッサは、前記メモリからコードを読み出し、請求項２に記載の方法を実施するように構成されている、デバイス。
【請求項１１】
プロセッサおよびメモリを含むデバイスであって、前記プロセッサは、前記メモリからコードを読み出し、請求項３に記載の方法を実施するように構成されている、デバイス。
【請求項１２】
プロセッサおよびメモリを含むデバイスであって、前記プロセッサは、前記メモリからコードを読み出し、請求項４に記載の方法を実施するように構成されている、デバイス。
【請求項１３】
プロセッサおよびメモリを含むデバイスであって、前記プロセッサは、前記メモリからコードを読み出し、請求項５に記載の方法を実施するように構成されている、デバイス。
【請求項１４】
プロセッサおよびメモリを含むデバイスであって、前記プロセッサは、前記メモリからコードを読み出し、請求項６に記載の方法を実施するように構成されている、デバイス。
【請求項１５】
プロセッサおよびメモリを含むデバイスであって、前記プロセッサは、前記メモリからコードを読み出し、請求項７に記載の方法を実施するように構成されている、デバイス。
【請求項１６】
プロセッサおよびメモリを含むデバイスであって、前記プロセッサは、前記メモリからコードを読み出し、請求項８に記載の方法を実施するように構成されている、デバイス。
【手続補正２】
【補正対象書類名】明細書
【補正対象項目名】００１８
【補正方法】変更
【補正の内容】
【００１８】
本出願の実施形態によって、記憶媒体が提供される。記憶媒体は、プロセッサによって実行されると、上記において説明された任意の実施形態の方法を実装するコンピュータープログラムを格納するように構成される。
（項目１）
情報決定方法であって、該方法は、
開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定すること
を含む、方法。
（項目２）
上記ＰＤＣＣＨ関連シンボルは、ＰＤＣＣＨ開始シンボル、ＰＤＣＣＨ終了シンボル、該ＰＤＣＣＨ開始シンボルと第１のプリセットされた数のシンボルとの合計、または該ＰＤＣＣＨ終了シンボルと該第１のプリセットされた数のシンボルとの合計のうちの少なくとも１つを含み、
該ＰＤＣＣＨ開始シンボルは、ＰＤＣＣＨを伝送するために使用される時間ドメインシンボルにおける最初のシンボルであり、該ＰＤＣＣＨ終了シンボルは、該ＰＤＣＣＨを伝送するために使用される該時間ドメインシンボルにおける最後のシンボルである、項目１に記載の方法。
（項目３）
上記ＳＬＩＶの上記基準点として供される上記ＰＤＣＣＨ関連シンボルを有する上記ＴＤＲＡ表を決定することは、
独立した構成様式において、該ＳＬＩＶの該基準点として供される該ＰＤＣＣＨ関連シンボルを有する該ＴＤＲＡ表を決定すること
を含む、項目２に記載の方法。
（項目４）
上記ＳＬＩＶの上記基準点として供される上記ＰＤＣＣＨ関連シンボルを有する上記ＴＤＲＡ表を決定することは、
該ＳＬＩＶの該基準点としてスロット境界を供することによって構成されるＴＤＲＡ表を、該ＳＬＩＶの該基準点として該ＰＤＣＣＨ関連シンボルを供することによって構成される該ＴＤＲＡ表とすること
を含む、項目２に記載の方法。
（項目５）
上記ＳＬＩＶの上記基準点として供される上記ＰＤＣＣＨ関連シンボルを有する上記ＴＤＲＡ表を決定することは、
該ＳＬＩＶの該基準点として該ＰＤＣＣＨ関連シンボルを供することが無効状態にあるか否かを決定することと、
該ＳＬＩＶの該基準点として該ＰＤＣＣＨ関連シンボルを供することが該無効状態にない場合において、ダウンリンク制御情報（ＤＣＩ）を通して該ＴＤＲＡ表における行インデックスを指示することと
をさらに含む、項目４に記載の方法。
（項目６）
物理ダウンリンク共有チャネル（ＰＤＳＣＨ）または物理アップリンク共有チャネル（ＰＵＳＣＨ）をスケジューリングのために使用する場合において、上記無効状態は、上記ＳＬＩＶの上記基準点が上記スロット境界を超過する場合、または該ＳＬＩＶの該基準点と長さとの合計が該スロット境界を超過する場合のうちの少なくとも１つを含む、項目５に記載の方法。
（項目７）
上記ＳＬＩＶの上記基準点として上記スロット境界を供することによって構成される上記ＴＤＲＡ表を、該ＳＬＩＶの該基準点として上記ＰＤＣＣＨ関連シンボルを供することによって構成される上記ＴＤＲＡ表とすることは、
該ＴＤＲＡ表における各行インデックスの該ＳＬＩＶの該基準点を、該ＰＤＣＣＨ関連シンボルまたは該スロット境界のうちの１つとして構成すること、または、
該ＳＬＩＶの該基準点の再解釈を実施することであって、該再解釈の開始シンボルは、Ｓであり、Ｓ＝０である、こと
のうちの１つを含む、項目４に記載の方法。
（項目８）
上記ＳＬＩＶの上記基準点として供される上記ＰＤＣＣＨ関連シンボルを有する上記ＴＤＲＡ表を決定することは、
該ＳＬＩＶの該基準点として上記スロット境界を供することによって構成される該ＴＤＲＡ表の行インデックスの一部を選択することと、
該行インデックスの一部を、該ＳＬＩＶの該基準点として供される該ＰＤＣＣＨ関連シンボルを有する該ＴＤＲＡ表として供することと
を含む、項目２に記載の方法。
（項目９）
上記ＳＬＩＶの上記基準点として上記スロット境界を供することによって構成される上記ＴＤＲＡ表の上記行インデックスの一部を選択することは、
該行インデックスの一部として上記第１のプリセットされた数を有する第１の行インデックスを選択すること、または、ビットマップ形式で該行インデックスの一部を選択すること
を含む、項目８に記載の方法。
（項目１０）
２つ以上のＴＤＲＡ表が存在し、少なくとも１つのＴＤＲＡ表が上記ＳＬＩＶの上記基準点として上記ＰＤＣＣＨ関連シンボルを使用する場合において、該ＰＤＣＣＨ関連シンボルの異なる位置におけるＰＤＣＣＨまたは異なる時間スパンを有するＰＤＣＣＨは、完全には同じでないＴＤＲＡ表を使用する、項目２に記載の方法。
（項目１１）
完全には同じでない上記ＴＤＲＡ表を使用する上記ＰＤＣＣＨ関連シンボルの異なる位置における上記ＰＤＣＣＨまたは異なる時間スパンを有する上記ＰＤＣＣＨは、
各位置におけるＰＤＣＣＨまたは各時間スパンを有するＰＤＣＣＨが１つの種類の該ＴＤＲＡ表を使用すること、
Ｘ個の開始シンボルセットが、それぞれ、Ｘ個のＴＤＲＡ表を使用し、該Ｘ個の開始シンボルセットのうちの２つごとにおける要素が互いに異なり、該Ｘ個の開始シンボルセットの和集合がスロットにおける全てのシンボルを含むか、または、該Ｘ個の開始シンボルセットのうちの各々における要素が独立して構成されること、または、
Ｘ個のスパンセットが、それぞれ、Ｘ個のＴＤＲＡ表を使用し、該Ｘ個のスパンセットのうちの２つごとにおける要素が互いに異なり、該Ｘ個のスパンセットの和集合が時間スパンパターンにおける全てのスパンを含むか、または、該Ｘ個のスパンセットのうちの各々における該要素が独立して構成されること
のうちの１つを含む、項目１０に記載の方法。
（項目１２）
情報決定方法であって、該方法は、
開始シンボルＳまたは開始長さインジケータ値（ＳＬＩＶ）のうちの１つの基準点を決定することであって、該基準点は、スロット境界または物理ダウンリンク制御チャネル（ＰＤＣＣＨ）関連シンボルを含む、こと
を含む、方法。
（項目１３）
上記ＳＬＩＶの上記基準点を決定することは、
トラフィックチャネル種類に従って該ＳＬＩＶまたは上記Ｓのうちの１つの該基準点を決定することであって、該トラフィックチャネル種類は、種類Ａと種類Ｂとを含む、こと、
上記ＰＤＣＣＨ関連シンボルをデフォルトで該ＳＬＩＶの該基準点として供することであって、該ＳＬＩＶの該基準点と長さとの合計が上記スロット境界を超過する場合において、該ＳＬＩＶの該基準点は、該スロット境界であると決定すること、
該ＰＤＣＣＨ関連シンボルの位置に従って該ＳＬＩＶの該基準点を決定すること、または、
トラフィックチャネルをスケジューリングするためのダウンリンク制御情報（ＤＣＩ）フォーマットに従って該ＳＬＩＶの該基準点を決定すること
のうちの１つを含む、項目１２に記載の方法。
（項目１４）
上記トラフィックチャネルをスケジューリングするための上記ＤＣＩフォーマットに従って上記ＳＬＩＶの上記基準点を決定することは、
第１のＤＣＩフォーマットにおいて使用されるべき該ＳＬＩＶの該基準点として供される上記ＰＤＣＣＨ関連シンボルを有する時間ドメインリソース割り当て（ＴＤＲＡ）表を決定することであって、該第１のＤＣＩフォーマットは、新しいＤＣＩフォーマット、超高信頼低遅延通信（ＵＲＬＬＣ）をスケジューリングするためのＤＣＩフォーマット、プリセットされた閾値より小さいＤＣＩサイズを有するＤＣＩフォーマット、またはプリセットされた閾値より小さいＤＣＩにおける時間ドメインリソース割り当てドメインサイズを有するＤＣＩフォーマットのうちの１つを含む、こと
を含む、項目１３に記載の方法。
（項目１５）
物理ダウンリンク共有チャネル（ＰＵＳＣＨ）をスケジューリングするために使用されるＴＤＲＡ表について、上記ＳＬＩＶの上記基準点を構成するための様式は、
該ＳＬＩＶの該基準点を独立して構成すること、
上記ＰＤＣＣＨ関連シンボルをデフォルトで該ＳＬＩＶの該基準点として供すること、
反復伝送について該ＰＵＳＣＨをスケジューリングする場合において、該ＳＬＩＶの該基準点は、上記スロット境界であると決定すること、または、
非反復伝送について該ＰＵＳＣＨをスケジューリングする場合において、該ＳＬＩＶの該基準点は、該ＰＤＣＣＨ関連シンボルであると決定すること
のうちの１つを含む、項目１２に記載の方法。
（項目１６）
上記新しいＤＣＩフォーマットを追加する場合において、少なくとも２つの異なるＤＣＩフォーマットにおいて時間ドメインリソース割り当てによって使用される上記ＴＤＲＡ表を決定するための様式は、
第２のＤＣＩフォーマットによって、無線リソース制御（ＲＲＣ）によって構成されるＴＤＲＡ表を使用することと、上記第１のＤＣＩフォーマットによって、デフォルトＴＤＲＡ表を使用すること、
該少なくとも２つの異なるＤＣＩフォーマットについて、デフォルトＴＤＲＡ表を独立して構成すること、または、
該少なくとも２つの異なるＤＣＩフォーマットについて、該ＴＤＲＡ表を独立して構成すること
のうちの１つを含む、項目１４に記載の方法。
（項目１７）
情報決定方法であって、第１のダウンリンク制御情報（ＤＣＩ）フォーマットおよび第２のＤＣＩフォーマットがトラフィックチャネルをスケジューリングするために使用される場合において、該トラフィックチャネルに対応する優先度を決定する方法は、
該トラフィックチャネルをスケジューリングするための該第１のＤＣＩフォーマットに対応する優先度を、該第２のＤＣＩフォーマットに対応する優先度より高いように構成すること、または、
該トラフィックチャネルをスケジューリングするための該第１のＤＣＩフォーマットに対応する最も低い優先度を、該第２のＤＣＩフォーマットに対応する優先度と等しいように構成すること
のうちの１つを含む、方法。
（項目１８）
情報決定方法であって、該方法は、
新しいダウンリンク制御情報（ＤＣＩ）フォーマットを追加する場合において、ＤＣＩサイズ整合動作を実施することを含み、該新しいＤＣＩフォーマットは、アップリンクトラフィックチャネルをスケジューリングするためのフォーマット０＿２と、ダウンリンクトラフィックチャネルをスケジューリングするためのフォーマット１＿２とを含み、
サイズ閾値は、４以下の、各セルにおいてユーザ機器（ＵＥ）によって取り扱われるＤＣＩサイズ種類の数であり、セル無線ネットワーク一時識別子（Ｃ−ＲＮＴＩ）によってスクランブルされるＤＣＩサイズ種類の数は、３を超過せず、または、サイズ閾値は、５以下の、各セルにおいてＵＥによって取り扱われるＤＣＩサイズ種類の数であり、Ｃ−ＲＮＴＩによってスクランブルされるＤＣＩサイズ種類の数は、４を超過しない、方法。
（項目１９）
上記サイズ閾値が、４以下の、各セルにおいて上記ＵＥによって取り扱われる上記ＤＣＩサイズ種類の数であり、上記Ｃ−ＲＮＴＩによってスクランブルされる上記ＤＣＩサイズ種類の数が３を超過しない場合において、上記ＤＣＩサイズ整合動作を実施することは、
フォーマット０＿０のサイズをフォーマット１＿０のサイズと整合させることと、
フォーマット０＿１のサイズをフォーマット１＿１のサイズと整合させることと、
上記フォーマット０＿２のサイズを上記フォーマット１＿２のサイズと整合させることと
を含む、項目１８に記載の方法。
（項目２０）
上記サイズ閾値が、４以下の、各セルにおいて上記ＵＥによって取り扱われる上記ＤＣＩサイズ種類の数であり、上記Ｃ−ＲＮＴＩによってスクランブルされる上記ＤＣＩサイズ種類の数が３を超過しない場合において、上記ＤＣＩサイズ整合動作を実施することは、
上記フォーマット０＿２のサイズを上記フォーマット１＿２のサイズと整合させ、第１の種類サイズに整合させることと、
第１の種類サイズをフォールバックＤＣＩのサイズまたは非フォールバックＤＣＩのサイズのうちの１つと整合させることと
を含む、項目１８に記載の方法。
（項目２１）
上記第１の種類サイズを上記フォールバックＤＣＩの上記サイズまたは上記非フォールバックＤＣＩの上記サイズのうちの１つと整合させることは、
より上位の層のシグナリングに従って、該フォールバックＤＣＩの該サイズまたは該非フォールバックＤＣＩの該サイズのうちの１つと整合されるべき該第１の種類サイズを構成すること、または、
サイズ最近接原理に従って、該第１の種類サイズを該フォールバックＤＣＩの該サイズまたは該非フォールバックＤＣＩの該サイズのうちの１つに整合させること
のうちの１つを含む、項目２０に記載の方法。
（項目２２）
上記サイズ最近接原理に従って、上記第１の種類サイズを上記フォールバックＤＣＩの上記サイズまたは上記非フォールバックＤＣＩの上記サイズのうちの１つに整合させることは、
トラフィックチャネルをスケジューリングするためのＤＣＩのサイズが該フォールバックＤＣＩの該サイズより小さい場合において、超高信頼低遅延通信（ＵＲＬＬＣ）ＤＣＩのサイズを該フォールバックＤＣＩの該サイズに整合させる動作を実施しないこと、または、
トラフィックチャネルをスケジューリングするためのＤＣＩのサイズが該フォールバックＤＣＩの該サイズより大きい場合において、該サイズ最近接原理に従って、該フォールバックＤＣＩの該サイズまたは該非フォールバックＤＣＩの該サイズのうちの１つに整合させる動作を実施すること
を含む、項目２１に記載の方法。
（項目２３）
上記サイズ閾値が、４以下の、各セルにおいて上記ＵＥによって取り扱われる上記ＤＣＩサイズ種類の数であり、上記Ｃ−ＲＮＴＩによってスクランブルされる上記ＤＣＩサイズ種類の数が３を超過しない場合において、上記ＤＣＩサイズ整合動作を実施することは、
各時間スパンの時間範囲内において、各セルにおいて該ＵＥによって取り扱われる該ＤＣＩサイズ種類の数を４以下であるように構成することであって、該Ｃ−ＲＮＴＩによってスクランブルされる該ＤＣＩサイズ種類の数が３を超過しない、こと
を含む、項目１８に記載の方法。
（項目２４）
上記サイズ閾値が、５以下の、各セルにおいて上記ＵＥによって取り扱われる上記ＤＣＩサイズ種類の数であり、上記Ｃ−ＲＮＴＩによってスクランブルされる上記ＤＣＩサイズ種類の数が４を超過しない場合において、上記ＤＣＩサイズ整合動作を実施することは、
トラフィックチャネルをスケジューリングするための上記ＤＣＩフォーマット０＿２のサイズおよびトラフィックチャネルをスケジューリングするための該ＤＣＩフォーマット１＿２のサイズにおいて、該ＤＣＩサイズ整合動作を実施すること、
トラフィックチャネルをスケジューリングするための該ＤＣＩフォーマット０＿２のサイズまたはトラフィックチャネルをスケジューリングするための該ＤＣＩフォーマット１＿２のサイズのうちの１つを、フォールバックＤＣＩのサイズに整合させること、
トラフィックチャネルをスケジューリングするための該ＤＣＩフォーマット０＿２のサイズまたはトラフィックチャネルをスケジューリングするための該ＤＣＩフォーマット１＿２のサイズのうちの１つを、非フォールバックＤＣＩのサイズに整合させること、
非フォールバックアップリンク（ＵＬ）ＤＣＩのサイズを、非フォールバックダウンリンク（ＤＬ）ＤＣＩのサイズと整合させること、
事前に構成されたモードに従って、トラフィックチャネルをスケジューリングするためのＤＣＩのサイズを、フォールバックＤＣＩのサイズまたは非フォールバックＤＣＩのサイズのうちの１つに整合させること、または、
プリセットされた規則に従って、トラフィックチャネルをスケジューリングするためのＤＣＩのサイズを、フォールバックＤＣＩのサイズまたは非フォールバックＤＣＩのサイズのうちの１つに整合させること
のうちの１つを含む、項目１８に記載の方法。
（項目２５）
少なくとも１つのＤＣＩフォーマットについてのフォーマット識別指示フィールドを構成することをさらに含む、項目１８に記載の方法。
（項目２６）
フォーマット指示フラグを通して、ＤＣＩ整合動作を実施するための２つのＤＣＩフォーマットを区別することをさらに含む、項目２５に記載の方法。
（項目２７）
情報決定方法であって、該方法は、
各時間スパンの制御チャネル要素（ＣＣＥ）の最大数を決定すること
を含む、方法。
（項目２８）
各スパンの上記ＣＣＥの最大数を決定することは、
時間スパンパターンにおけるスパンの数、スロットにおける実際のスパンの数、および各スパンの限定されたＣＣＥの数に従って、各スパンの該ＣＣＥの最大数を決定すること、または、
各スロットにおける限定されたＣＣＥの数、スロットにおける実際のスパンの数、および各スパンの限定されたＣＣＥの数に従って、各スパンの該ＣＣＥの最大数を決定すること
のうちの１つを含む、項目２７に記載の方法。
（項目２９）
各スパンの上記限定されたＣＣＥの数を決定するための様式は、
各スパンの該限定されたＣＣＥの数を構成すること
を含む、項目２８に記載の方法。
（項目３０）
各スパンは、ユーザ機器（ＵＥ）によって報告された各スパンのＣＣＥ閾値より大きい、限定されたＣＣＥの同じ数を有する、項目２９に記載の方法。
（項目３１）
上記時間スパンパターンまたは上記スロットのうちの１つの実際のスパンにおいて、少なくとも１つのスパンの上記限定されたＣＣＥの数は、ＵＥによって報告された各スパンのＣＣＥ閾値より大きいように構成される、項目２９に記載の方法。
（項目３２）
各スパンの上記限定されたＣＣＥの数を決定するための様式は、
ＵＥによって報告された各スパンのＣＣＥ閾値と各スロットの上記ＣＣＥの最大数との合計を、少なくとも１つのスパンの該限定されたＣＣＥの数として供すること
を含む、項目２８に記載の方法。
（項目３３）
情報決定デバイスであって、該デバイスは、
第１の決定モジュールを備え、該第１の決定モジュールは、開始長さインジケータ値（ＳＬＩＶ）の基準点として供される物理ダウンリンク制御チャネル（ＰＤＣＣＨ）関連シンボルを有する時間ドメインリソース割り当て（ＴＤＲＡ）表を決定するように構成される、
情報決定デバイス。
（項目３４）
コンピュータープログラムを格納する記憶媒体であって、該コンピュータープログラムは、プロセッサによって実行される場合、項目１から３２のうちのいずれか１つに記載の情報決定方法を実装する、記憶媒体。
【国際調査報告】
2021536179.tif 000019
2021536179.tif 000020
2021536179.tif 000021
2021536179.tif 000022
2021536179.tif 000023
2021536179.tif 000024